(57)【特許請求の範囲】
【請求項１】
キャリアアグリゲーションベースの無線通信システムにおいて端末（ＵＥ）が上りリンク電力を制御する方法であって、
第１セルのサブフレーム＃ｎで第１物理上りリンクチャネルを送信する手順を実行するステップと、
第２セルのサブフレーム＃ｎで第２物理上りリンクチャネルを送信する手順を実行するステップと、を有し、
前記第１物理上りリンクチャネルの送信電力と前記第２物理上りリンクチャネルの送信電力との和が前記端末に対して設定された予め定められた最大送信電力を超え、前記第１物理上りリンクチャネルおよび前記第２物理上りリンクチャネルが同じ優先順位を有する上りリンク制御情報（ＵＣＩ）を有する場合、より低いセル優先順位を有するセルで送信される前記第１物理上りリンクチャネルおよび前記第２物理上りリンクチャネルのうちの１つの送信電力が低減されるか、または、前記より低いセル優先順位を有するセルで送信される第１物理上りリンクチャネルおよび第２物理上りリンクチャネルのうちの１つの送信がドロップされる、方法。
【請求項２】
前記第１物理上りリンクチャネルの送信電力と第２物理上りリンクチャネルの送信電力との和が前記端末に対して設定された予め定められた最大送信電力を超え、前記第１物理上りリンクチャネルおよび前記第２物理上りリンクチャネルが異なる優先順位を有するＵＣＩを有する場合、前記第１物理上りリンクチャネルおよび前記第２物理上りリンクチャネルのうちより低い優先順位を有するＵＣＩを有する物理上りリンクチャネルの送信電力が低減されるか、または、前記より低い優先順位を有するＵＣＩを有する物理上りリンクチャネルの送信がドロップされる、請求項１に記載の方法。
【請求項３】
前記第１物理上りリンクチャネルおよび前記第２物理上りリンクチャネルは、物理上りリンク共有チャネル（ＰＵＳＣＨ）である、請求項１または２に記載の方法。
【請求項４】
前記第１物理上りリンクチャネルおよび前記第２物理上りリンクチャネルは、物理上りリンク制御チャネル（ＰＵＣＣＨ）である、請求項１または２に記載の方法。
【請求項５】
前記第１物理上りリンクチャネルおよび前記第２物理上りリンクチャネルは、物理上りリンク共有チャネル（ＰＵＳＣＨ）と物理上りリンク制御チャネル（ＰＵＣＣＨ）との組み合わせである、請求項１または２に記載の方法。
【請求項６】
前記第１セルは、第１基地局（ＢＳ）によって管理され、
前記第２セルは、前記第１基地局と異なる第２基地局によって管理され、
前記端末に関連付けられた無線リソース制御（ＲＲＣ）機能は、前記第１基地局のみによって管理され実行され、
前記第１セルは、前記第２セルより高い優先順位を有する、請求項１〜５のいずれか一項に記載の方法。
【請求項７】
前記第１セルは、前記端末に適用されたインターサイトキャリアアグリゲーションにおけるプライマリセルであり、
前記第２セルは、前記端末に適用されたインターサイトキャリアアグリゲーションにおける他のサイトからのセカンダリセルであり、
前記第１セルは、前記第２セルより高い優先順位を有する、請求項１〜５のいずれか一項に記載の方法。
【請求項８】
キャリアアグリゲーションベースの無線通信システムにおいて上りリンク電力を制御するように構成された端末（ＵＥ）であって、
無線周波数（ＲＦ）ユニットと、
プロセッサと、を備え、
前記プロセッサは、
第１セルのサブフレーム＃ｎで第１物理上りリンクチャネルを送信する手順を実行し、
第２セルのサブフレーム＃ｎで第２物理上りリンクチャネルを送信する手順を実行するように構成され、
前記第１物理上りリンクチャネルの送信電力と前記第２物理上りリンクチャネルの送信電力との和が前記端末に対して設定された予め定められた最大送信電力を超え、前記第１物理上りリンクチャネルおよび前記第２物理上りリンクチャネルが同じ優先順位を有する上りリンク制御情報（ＵＣＩ）を有する場合、より低いセル優先順位を有するセルで送信される前記第１物理上りリンクチャネルおよび前記第２物理上りリンクチャネルのうちの１つの送信電力が低減されるか、または、前記より低いセル優先順位を有するセルで送信される第１物理上りリンクチャネルおよび第２物理上りリンクチャネルのうちの１つの送信がドロップされる、端末。
【請求項９】
前記第１物理上りリンクチャネルの送信電力と第２物理上りリンクチャネルの送信電力との和が前記端末に対して設定された予め定められた最大送信電力を超え、前記第１物理上りリンクチャネルおよび前記第２物理上りリンクチャネルが異なる優先順位を有するＵＣＩを有する場合、前記第１物理上りリンクチャネルおよび前記第２物理上りリンクチャネルのうちより低い優先順位を有するＵＣＩを有する物理上りリンクチャネルの送信電力が低減されるか、または、前記より低い優先順位を有するＵＣＩを有する物理上りリンクチャネルの送信がドロップされる、請求項８に記載の端末。
【請求項１０】
前記第１物理上りリンクチャネルおよび前記第２物理上りリンクチャネルは、物理上りリンク共有チャネル（ＰＵＳＣＨ）である、請求項８または９に記載の端末。
【請求項１１】
前記第１物理上りリンクチャネルおよび前記第２物理上りリンクチャネルは、物理上りリンク制御チャネル（ＰＵＣＣＨ）である、請求項８または９に記載の端末。
【請求項１２】
前記第１物理上りリンクチャネルおよび前記第２物理上りリンクチャネルは、物理上りリンク共有チャネル（ＰＵＳＣＨ）と物理上りリンク制御チャネル（ＰＵＣＣＨ）との組み合わせである、請求項８または９に記載の端末。
【請求項１３】
前記第１セルは、第１基地局（ＢＳ）によって管理され、
前記第２セルは、前記第１基地局と異なる第２基地局によって管理され、
前記端末に関連付けられた無線リソース制御（ＲＲＣ）機能は、前記第１基地局のみによって管理され実行され、
前記第１セルは、前記第２セルより高い優先順位を有する、請求項８〜１２のいずれか一項に記載の端末。
【請求項１４】
前記第１セルは、前記端末に適用されたインターサイトキャリアアグリゲーションにおけるプライマリセルであり、
前記第２セルは、前記端末に適用されたインターサイトキャリアアグリゲーションにおける他のサイトからのセカンダリセルであり、
前記第１セルは、前記第２セルより高い優先順位を有する、請求項８〜１２のいずれか一項に記載の端末。
【発明の詳細な説明】
【技術分野】
【０００１】
本発明は、無線通信システムに関し、特に、キャリアアグリゲーション（併合）（Carrier Aggregation；ＣＡ）ベースの無線通信システムにおいて上りリンク信号を送信する方法および装置に関する。
【背景技術】
【０００２】
無線通信システムが音声やデータなどの種々の通信サービスを提供するために広範囲で展開されている。一般に、無線通信システムは、使用可能なシステムリソース（帯域幅、送信電力など）を共有してマルチ（多重、複数の）ユーザ（multiple user）との通信をサポート（支援）する（support）ことができる多重接続（multiple access）システムである。多重接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【発明の概要】
【発明が解決しようとする課題】
【０００３】
本発明の目的は、ＣＡベースの無線通信システムにおいて上りリンク信号を効率的に送信／受信する方法およびそのための装置を提供することにある。具体的には、本発明は、インターサイトＣＡ（inter-site Carrier Aggregation）において上りリンク信号を効率的に送信／受信する方法およびそのための装置を提供することにある。
【０００４】
本発明で遂げようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【０００５】
本発明の一様相として、キャリアアグリゲーション（carrier aggregation）ベースの無線通信システムにおいて端末が上りリンク電力を制御する方法であって、第１セルおよび第２セルを構成するステップと、前記第１セルのサブフレーム＃ｎで第１物理上りリンク制御チャネル（Physical Uplink Control CHannel；ＰＵＣＣＨ）信号を送信するための手順（過程）（procedure）を行うステップと、前記第２セルのサブフレーム＃ｎで第２ＰＵＣＣＨ信号を送信するための手順を行うステップと、を有し、前記第１ＰＵＣＣＨ信号の送信電力と前記第２ＰＵＣＣＨ信号の送信電力との和が、前記端末に設定された所定の最大送信電力を超える場合、前記第１ＰＵＣＣＨ信号および前記第２ＰＵＣＣＨ信号のうち、優先順位が低いＰＵＣＣＨ信号の送信電力を減少させたりもしくは送信をドロップする（drop）方法が提供される。
【０００６】
本発明の他の様相として、キャリアアグリゲーション（carrier aggregation）ベースの無線通信システムにおいて上りリンク電力を制御するように構成された端末であって、無線周波数（Radio Frequency；ＲＦ）ユニットと、プロセッサと、を備え、前記プロセッサは、第１セルおよび第２セルを構成し、前記第１セルのサブフレーム＃ｎで第１物理上りリンク制御チャネル（Physical Uplink Control CHannel；ＰＵＣＣＨ）信号を送信するための手順を行い、前記第２セルのサブフレーム＃ｎで第２ＰＵＣＣＨ信号を送信するための手順を行うように構成され、前記第１ＰＵＣＣＨ信号の送信電力と前記第２ＰＵＣＣＨ信号の送信電力との和が、前記端末に設定された所定の最大送信電力を超える場合、前記第１ＰＵＣＣＨ信号および前記第２ＰＵＣＣＨ信号のうち、優先順位が低いＰＵＣＣＨ信号の送信電力を減少させたりもしくは送信をドロップする端末が提供される。
【０００７】
好適には、前記第１セルの最大電力許容値が前記第２セルの最大電力許容値よりも高い場合、前記第１ＰＵＣＣＨ信号の優先順位は、前記第２ＰＵＣＣＨ信号の優先順位よりも低くてもよい。
【０００８】
好適には、前記第１セルが周波数分割二重通信（Frequency Division Duplex；ＦＤＤ）に設定され、前記第２セルが時分割二重通信（Time Division Duplex；ＴＤＤ）に設定された場合、前記第２ＰＵＣＣＨ信号の優先順位は、前記第１ＰＵＣＣＨ信号の優先順位よりも低くてもよい。
【０００９】
好適には、前記第１セルが拡張（Extended）巡回プリフィックス（Cyclic Prefix；ＣＰ）として設定され、前記第２セルが通常の（一般）（normal）ＣＰとして設定された場合、前記第２ＰＵＣＣＨ信号の優先順位は、前記第１ＰＵＣＣＨ信号の優先順位よりも低くてもよい。
【００１０】
好適には、前記第１セルがプライマリセル（Primary Cell；ＰＣｅｌｌ）であり、前記第２セルがセカンダリセル（Secondary Cell；ＳＣｅｌｌ）である場合、前記第２ＰＵＣＣＨ信号の優先順位は、前記第１ＰＵＣＣＨ信号の優先順位よりも低くてもよい。
【発明の効果】
【００１１】
本発明によれば、ＣＡベースの無線通信システムにおいて上りリンク信号を効率的に送信／受信することができる。具体的には、インターサイトＣＡにおいて上りリンク信号を効率的に送信／受信することができる。
【００１２】
本発明で得られる効果は、以上で言及した効果に制限されず、言及していない他の効果は、以下の記載から、本発明の属する技術の分野における通常の知識を有する者によって明確に理解されるであろう。
【図面の簡単な説明】
【００１３】
【図１Ａ】ＣＡ（Carrier Aggregation）ベースの無線通信システムを例示する図である。
【図１Ｂ】ＣＡ（Carrier Aggregation）ベースの無線通信システムを例示する図である。
【図２】無線フレーム（radio frame）の構造を例示する図である。
【図３】下りリンクスロットのリソースグリッドを例示する図である。
【図４】下りリンクサブフレームの構造を例示する図である。
【図５】ＥＰＤＣＣＨ（Enhanced Physical Downlink Control CHannel）を例示する図である。
【図６】複数のセルが構成された場合のスケジューリング方法を例示する図である。
【図７】上りリンクサブフレームの構造を例示する図である。
【図８】ＰＵＣＣＨ（Physical Uplink Control CHannel）フォーマット１ａ／１ｂのスロットレベルの構造を例示する図である。
【図９】ＰＵＣＣＨフォーマット２のスロットレベルの構造を例示する図である。
【図１０】ＰＵＣＣＨフォーマット３のスロットレベルの構造を例示する図である。
【図１１】ＰＵＳＣＨ（Physical Uplink Shared CHannel）を介して上りリンク制御情報を送信する方法を例示する図である。
【図１２】ＭＡＣ ＰＤＵ（Medium Access Control Protocol Data Unit）を示す図である。
【図１３】ＰＨ（Power Headroom）ＭＡＣ ＣＥを示す図である。
【図１４】インターサイトＣＡ（inter-site carrier aggregation）を例示する図である。
【図１５】本発明の実施例に係るＵＬ電力制御を例示する図である。
【図１６】本発明に適用可能な基地局および端末を例示する図である。
【発明を実施するための形態】
【００１４】
本発明に関する理解を助けるために詳細な説明の一部として含まれる添付の図面は、本発明に関する実施例を提供し、詳細な説明と共に本発明の技術的思想を説明する。
【００１５】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線接続システムに用いることができる。ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ ８０２．１１（Ｗｉ−Ｆｉ（登録商標））、ＩＥＥＥ ８０２．１６（ＷｉＭＡＸ）、ＩＥＥＥ ８０２−２０、Ｅ−ＵＴＲＡ（Evolved UTRA）などの無線技術によって具現することができる。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡを用いるＥ−ＵＭＴＳ（Evolved UMTS）の一部であり、下りリンクにおいてＯＦＤＭＡを採用し、上りリンクにおいてＳＣ−ＦＤＭＡを採用する。ＬＴＥ−Ａ（Advanced）は、３ＧＰＰ ＬＴＥの発展したバージョンである。
【００１６】
説明を明確にするために、３ＧＰＰ ＬＴＥ／ＬＴＥ−Ａを中心に記述するが、本発明の技術的思想がこれに制限されるわけではない。また、以下の説明で使われる特定の用語は、本発明の理解を助けるために提供されたものであり、このような特定の用語は、本発明の技術的思想から逸脱しない範囲で他の形態に変更してもよい。
【００１７】
まず、本明細書で使われる用語について説明する。
【００１８】
●  ＨＡＲＱ−ＡＣＫ（Hybrid Automatic Repeat reQuest ACKnowledgement）：下りリンク送信に対する受信応答結果、すなわち、ＡＣＫ／ＮＡＣＫ（Negative ACK）／ＤＴＸ（Discontinuous Transmission）応答（簡単に、ＡＣＫ／ＮＡＣＫ（応答）、ＡＣＫ／ＮＡＫ（応答）、Ａ／Ｎ（応答））を表す。ＡＣＫ／ＮＡＣＫ応答は、ＡＣＫ、ＮＡＣＫ、ＤＴＸもしくはＮＡＣＫ／ＤＴＸを意味する。ここで、ＨＡＲＱ−ＡＣＫフィードバックを必要とする下りリンク送信には、例えば、ＰＤＳＣＨ（Physical Downlink Shared CHannel）およびＳＰＳ解放（解除、リリース）（release）ＰＤＣＣＨ（Semi-Persistent Scheduling release Physical Downlink Control CHannel）がある。
【００１９】
●セル（もしくは、ＣＣ（Component Carrier））に対応するＨＡＲＱ−ＡＣＫ：当該セルにスケジュールされた下りリンク送信に対するＡＣＫ／ＮＡＣＫ応答を表す。
【００２０】
●  ＰＤＳＣＨ：ＤＬグラントＰＤＣＣＨに対応するＰＤＳＣＨおよびＳＰＳ（Semi-Persistent Scheduling）ＰＤＳＣＨを含む。ＰＤＳＣＨは、伝送ブロック（transport block）もしくはコードワード（codeword）に置き換えてもよい。
【００２１】
●  ＳＰＳ ＰＤＳＣＨ：ＳＰＳによって半静的に（semi-statically）設定されたリソースを用いて送信されるＰＤＳＣＨを意味する。ＳＰＳ ＰＤＳＣＨは、対応するＤＬグラントＰＤＣＣＨがない。ＳＰＳ ＰＤＳＣＨは、ＰＤＳＣＨ ｗ／ｏ（without）ＰＤＣＣＨと同じ意味で使われる。
【００２２】
●  ＳＰＳ解放（解除、リリース）（release）ＰＤＣＣＨ：ＳＰＳ解放を示すＰＤＣＣＨを意味する。端末は、ＳＰＳ解放ＰＤＣＣＨに対するＡＣＫ／ＮＡＣＫ情報をフィードバックする。
【００２３】
図１Ａおよび図１Ｂは、従来のキャリアアグリゲーション（Carrier Aggregation、ＣＡ）ベースの無線通信システムを例示する。ＬＴＥシステムは一つのＤＬ／ＵＬ周波数ブロックのみをサポートするが、ＬＴＥ−Ａシステムは、複数のＵＬ／ＤＬ周波数ブロックを集約（併合）（aggregating）してより広い周波数帯域を提供する。各周波数ブロックはコンポーネントキャリア（Component Carrier；ＣＣ）を介して送信される。ＣＣは、周波数ブロックのキャリア周波数（もしくは、中心キャリア、中心周波数）を表す。
【００２４】
図１Ａおよび図１Ｂを参照すると、一つの基地局によって管理される複数のＤＬ／ＵＬ ＣＣを一つの端末に対して集約することができる。ＣＣは、周波数領域において互いに隣接していても隣接していなくて（非隣接していて）もよい。各ＣＣの帯域幅は、独立して定められてもよい。ＵＬ ＣＣの個数とＤＬ ＣＣの個数とが異なる非対称キャリアアグリゲーションも可能である。また、システム帯域全体がＮ個のＣＣで構成される場合でも、特定の端末が使用可能な周波数帯域は、Ｌ（＜Ｎ）個のＣＣであると限定することができる。キャリアアグリゲーションに対する様々なパラメータは、セル固有（特定）（cell-specific）、端末グループ固有（特定）（UE group-specific）もしくは端末固有（特定）（UE-specific）の方式で設定することができる。一方、制御情報は、特定のＣＣでのみ送受信されるように設定することができる。このような特定のＣＣをプライマリＣＣ（Primary CC；ＰＣＣ）（もしくは、アンカーＣＣ）と呼び、残りのＣＣをセカンダリＣＣ（Secondary CC；ＳＣＣ）と呼ぶことができる。ＰＣＣでのみＵＣＩが送信されるため、複数のＵＬ ＣＣで複数のＰＵＣＣＨの同時送信状況は発生せず、また、端末の電力管理などのために、ＰＣＣでの複数のＰＵＣＣＨ送信も許可（許容）（permit）されない。したがって、従来のＣＡシステムでは、一つのＵＬサブフレームで一つのＰＵＣＣＨ送信のみが可能である。
【００２５】
ＬＴＥ（−Ａ）は、無線リソースの管理のためにセル（cell）の概念を用いる。セルは、ＤＬリソースおよびＵＬリソースの組合せで定義し、このとき、ＵＬリソースは必須要素ではない。このため、セルを、ＤＬリソース単独、もしくはＤＬリソースおよびＵＬリソースで構成することができる。キャリアアグリゲーションがサポートされる場合、ＤＬリソースのキャリア周波数（もしくは、ＤＬ ＣＣ）とＵＬリソースのキャリア周波数（もしくは、ＵＬ ＣＣ）との間のリンケージ（リンク）（linkage）は、システム情報を用いて示すことができる。プライマリ周波数（もしくは、ＰＣＣ）上で動作するセルをプライマリセル（Primary Cell；ＰＣｅｌｌ）と呼び、セカンダリ周波数（もしくは、ＳＣＣ）上で動作するセルをセカンダリセル（Secondary Cell；ＳＣｅｌｌ）と呼ぶことができる。ＰＣｅｌｌは、端末が初期ＲＲＣ接続設定（initial Radio Resource Control connection establishment）手順もしくはＲＲＣ接続再設定手順を行う上で用いられる。ＰＣｅｌｌは、ハンドオーバ手順で指示されたセルを意味することができる。ＳＣｅｌｌは、基地局と端末との間にＲＲＣ（Radio Resource Control）接続が設定された後に構成可能であり、追加の無線リソースを提供するために用いることができる。ＰＣｅｌｌおよびＳＣｅｌｌを総称して、サービングセルということができる。
【００２６】
特に言及しない限り、以下の説明は、複数のＣＣ（もしくは、セル）が集約された（aggregated）場合にそれぞれのＣＣ（もしくは、セル）に適用することができる。また、以下の説明で、ＣＣは、サービングＣＣ、サービングキャリア、セル、サービングセルなどの用語に代えてもよい。
【００２７】
図２は、無線フレーム（radio frame）構造を例示する。
【００２８】
図２（ａ）は、ＦＤＤ（Frequency Division Duplex）のためのタイプ１の無線フレーム構造を例示する。無線フレームは、複数（例えば、１０個）のサブフレーム（SubFrame；ＳＦ）を含み、ＳＦは、時間領域で複数（例えば、２個）のスロットを含む。ＳＦ長は１ｍｓ、スロット長は０．５ｍｓであってもよい。スロットは、時間領域で複数のＯＦＤＭ／ＳＣ−ＦＤＭＡシンボルを含み、周波数領域で複数のリソースブロック（Resource Block；ＲＢ）を含む。
【００２９】
図２（ｂ）は、ＴＤＤ（Time Division Duplex）のためのタイプ２の無線フレーム構造を例示する。タイプ２の無線フレームは、２個のハーフフレーム（half frame）を含み、ハーフフレームは５個のＳＦを含む。ＳＦは２個のスロットを含む。
【００３０】
表１に、ＴＤＤにおける無線フレーム内サブフレームのＵＬ−ＤＬ構成（Uplink-Downlink Configuration；ＵＤ−ｃｆｇ）を例示する。ＵＤ−ｃｆｇは、システム情報（例えば、System Information Block；ＳＩＢ）でシグナリングされる。便宜上、ＴＤＤセルに対してＳＩＢによって設定されるＵＤ−ｃｆｇを、ＳＩＢ−ｃｆｇと称する。
【００３１】
【表１】
0006306224.tif 000002
【００３２】
表１において、ＤはＤＬ ＳＦ（DownLink SubFrame）を、ＵはＵＬ ＳＦ（UpLink SubFrame）を、ＳはＳ ＳＦ（Special SubFrame）を表す。スペシャルＳＦは、ＤｗＰＴＳ（Downlink Pilot TimeSlot）、ＧＰ（Guard Period）、ＵｐＰＴＳ（Uplink Pilot TimeSlot）を含む。ＤｗＰＴＳは、ＤＬ送信のための時間区間であり、ＵｐＰＴＳは、ＵＬ送信のための時間区間である。
【００３３】
図３には、ＤＬスロットのリソースグリッドを例示する。
【００３４】
図３を参照すると、ＤＬスロットは、時間ドメインで複数のＯＦＤＭＡシンボルを含む。ＤＬスロットは、ＣＰ（Cyclic Prefix）の長さによって７（６）個のＯＦＤＭＡシンボルを含み、リソースブロックは、周波数ドメインで１２個の副搬送波を含むことができる。リソースグリッド上の各要素はリソース要素（Resource Element；ＲＥ）と呼ばれる。ＲＢは、１２×７（６）個のＲＥを含む。ＤＬスロットに含まれるＲＢの個数ＮRBは、ＤＬ送信帯域に依存する。ＵＬスロットの構造はＤＬスロットの構造と同様であり、ただし、ＯＦＤＭＡシンボルがＳＣ−ＦＤＭＡシンボルに置き換えられる。
【００３５】
図４には、ＤＬサブフレームの構造を例示する。
【００３６】
図４を参照すると、サブフレームの第一のスロットにおいて先頭における最大３（４）個のＯＦＤＭＡシンボルは、制御チャネルが割り当てられる制御領域に該当する。残りのＯＦＤＭＡシンボルは、ＰＤＳＣＨ（Physical Downlink Shared CHannel）が割り当てられるデータ領域に該当する。ＤＬ制御チャネルは、ＰＣＦＩＣＨ（Physical Control Format Indicator CHannel）、ＰＤＣＣＨ（Physical Downlink Control CHannel）、ＰＨＩＣＨ（Physical Hybrid ARQ Indicator CHannel）を含む。ＰＣＦＩＣＨは、サブフレームの最初のＯＦＤＭＡシンボルで送信され、サブフレーム内で制御チャネルの送信に使われるＯＦＤＭＡシンボルの個数に関する情報を運ぶ。ＰＨＩＣＨは、ＵＬ送信に対する応答としてＨＡＲＱ−ＡＣＫ信号を運ぶ。
【００３７】
ＰＤＣＣＨは、下りリンク共有チャネル（DownLink Shared CHannel；ＤＬ−ＳＣＨ）の送信フォーマットおよびリソース割り当て情報、上りリンク共有チャネル（UpLink Shared CHannel；ＵＬ−ＳＣＨ）の送信フォーマットおよびリソース割り当て情報、ページングチャネル（Paging CHannel；ＰＣＨ）上のページング情報、ＤＬ−ＳＣＨ上のシステム情報、ＰＤＳＣＨ上で送信されるランダム接続応答（random access response）などの上位層制御メッセージのリソース割り当て情報、端末グループ内の個別端末に対する送信電力制御命令セット、送信電力制御命令、ＶｏＩＰ（Voice over IP）の活性化（activation）指示情報などを運ぶ。
【００３８】
ＰＤＣＣＨを介してＤＣＩ（Downlink Control Information）が送信される。ＵＬスケジューリング（もしくは、ＵＬグラント）のためにＤＣＩフォーマット０／４（以下、ＵＬ ＤＣＩフォーマット）、ＤＬスケジューリングのためにＤＣＩフォーマット１／１Ａ／１Ｂ／１Ｃ／１Ｄ／２／２Ａ／２Ｂ／２Ｃ（以下、ＤＬ ＤＣＩフォーマット）が定義される。ＵＬ／ＤＬ ＤＣＩフォーマットは、ホッピングフラグ（hopping flag）、ＲＢ割り当て情報、ＭＣＳ（Modulation Coding Scheme）、ＲＶ（Redundancy Version）、ＮＤＩ（New Data Indicator）、ＴＰＣ（Transmit Power Control）、ＤＭＲＳ（DeModulation Reference Signal）巡回（サイクリック）（cyclic）シフトなどの情報を、用途に応じて選択的に含む。また、上りリンク信号の電力調節のためにＤＣＩフォーマット３／３Ａ（以下、ＴＰＣ ＤＣＩフォーマット）が定義される。ＴＰＣ ＤＣＩフォーマットは、複数の端末のためのビットマップ情報を含み、ビットマップ内でそれぞれの２ビット（ＤＣＩフォーマット３）もしくは１ビット（ＤＣＩフォーマット３Ａ）情報が、当該端末のＰＵＣＣＨおよびＰＵＳＣＨに対するＴＰＣコマンドを指示する。
【００３９】
制御領域内で複数のＰＤＣＣＨが送信されてもよく、端末は、自体に指示されたＰＤＣＣＨを確認するために、サブフレームごとに複数のＰＤＣＣＨをモニタする。ＰＤＣＣＨは、一つもしくは複数のＣＣＥ（Control Channel Element）を介して送信される。ＰＤＣＣＨ送信に使われるＣＣＥの個数（すなわち、ＣＣＥアグリゲーションレベル（aggregation level））を用いてＰＤＣＣＨコーディングレートを調節することができる。ＣＣＥは、ＲＥＧ（Resource Element Group）を含む。ＰＤＣＣＨのフォーマットおよびＰＤＣＣＨビットの個数は、ＣＣＥの個数によって決定される。基地局は、端末に送信されるＤＣＩに基づいてＰＤＣＣＨフォーマットを決定し、制御情報にＣＲＣ（Cyclic Redundancy Check）を付加する。ＣＲＣは、ＰＤＣＣＨのオーナ（所有者）（owner）もしくは使用目的によって識別子（例えば、ＲＮＴＩ（Radio Network Temporary Identifier））でマスクされる。例えば、ＰＤＣＣＨが特定の端末のためのものであれば、端末識別子（例えば、Cell-RNTI（Ｃ−ＲＮＴＩ））をＣＲＣにマスクすることができる。ＰＤＣＣＨがページングメッセージのためのものであれば、ページング識別子（例えば、Paging-RNTI（Ｐ−ＲＮＴＩ））をＣＲＣにマスクすることができる。ＰＤＣＣＨがシステム情報（より具体的には、システム情報ブロック（System Information Block；ＳＩＢ））のためのものであれば、ＳＩ−ＲＮＴＩ（System Information RNTI）をＣＲＣにマスクすることができる。ＰＤＣＣＨがランダム接続応答（random access response）のためのものであれば、ＲＡ−ＲＮＴＩ（Random Access-RNTI）をＣＲＣにマスクすることができる。
【００４０】
図５には、ＥＰＤＣＣＨを例示する。ＥＰＤＣＣＨは、ＬＴＥ−Ａで追加して導入されたチャネルである。
【００４１】
図５を参照すると、サブフレームの制御領域（図４参照）には、従来の（既存）（legacy）ＬＴＥに基づくＰＤＣＣＨ（便宜上、Legacy PDCCH；Ｌ−ＰＤＣＣＨ）を割り当てることができる。同図で、Ｌ−ＰＤＣＣＨ領域は、Ｌ−ＰＤＣＣＨが割り当てられうる領域を意味する。一方、データ領域（例えば、ＰＤＳＣＨのためのリソース領域）内にＰＤＣＣＨを更に割り当てることができる。データ領域に割り当てられたＰＤＣＣＨをＥＰＤＣＣＨと称する。図示のように、ＥＰＤＣＣＨを介して制御チャネルリソースを更に確保することによって、Ｌ−ＰＤＣＣＨ領域の制限された制御チャネルリソースによるスケジューリングの制約を緩和することができる。Ｌ−ＰＤＣＣＨと同様に、ＥＰＤＣＣＨはＤＣＩを運ぶ。例えば、ＥＰＤＣＣＨは、下りリンクスケジューリング情報、上りリンクスケジューリング情報を運ぶことができる。例えば、端末は、ＥＰＤＣＣＨを受信し、ＥＰＤＣＣＨに対応するＰＤＳＣＨを介してデータ／制御情報を受信することができる。また、端末は、ＥＰＤＣＣＨを受信し、ＥＰＤＣＣＨに対応するＰＵＳＣＨを介してデータ／制御情報を送信することができる。セルタイプによって、ＥＰＤＣＣＨ／ＰＤＳＣＨをサブフレームの最初のＯＦＤＭシンボルから割り当ててもよい。
【００４２】
次に、複数のＣＣ（もしくは、セル）が構成された場合のスケジューリングについて説明する。複数のＣＣが構成された場合、クロスキャリアスケジューリングおよび非（ノン）（non）クロスキャリアスケジューリング（もしくは、セルフスケジューリング）を用いることができる。非クロスキャリアスケジューリング（もしくは、セルフスケジューリング）は、従来のＬＴＥにおけるスケジューリング方式と同一である。
【００４３】
クロスキャリアスケジューリングが適用される場合、ＤＬグラントＰＤＣＣＨはＤＬ ＣＣ＃０上で送信され、対応するＰＤＳＣＨはＤＬ ＣＣ＃２上で送信されてもよい。同様に、ＵＬグラントＰＤＣＣＨはＤＬ ＣＣ＃０上で送信され、対応するＰＵＳＣＨはＵＬ ＣＣ＃４上で送信されてもよい。クロスキャリアスケジューリングのために、ＣＩＦ（Carrier Indicator Field；ＣＩＦ）を用いる。ＰＤＣＣＨ内でＣＩＦが存在するか否かは、上位層シグナリング（例えば、ＲＲＣシグナリング）を用いて半静的および端末固有（もしくは、端末グループ固有）方式で設定することができる。
【００４４】
ＣＩＦ設定によるスケジューリングは、次のようにまとめることができる。
【００４５】
−  ＣＩＦディセーブルド（無効）（disabled）：ＤＬ ＣＣ上のＰＤＣＣＨは、同一のＤＬ ＣＣ上のＰＤＳＣＨリソースを割り当てたり、一つのリンクされたＵＬ ＣＣ上のＰＵＳＣＨリソースを割り当てる。
【００４６】
−  ＣＩＦイネーブルド（有効）（enabled）：ＤＬ ＣＣ上のＰＤＣＣＨは、ＣＩＦを用いて、複数の集約されたＤＬ／ＵＬ ＣＣの中から特定のＤＬ／ＵＬ ＣＣ上のＰＤＳＣＨもしくはＰＵＳＣＨリソースを割り当てる。
【００４７】
ＣＩＦが存在する場合、基地局は、端末に一つもしくは複数のＰＤＣＣＨモニタリングＤＬ ＣＣ（以下、Monitoring CC；ＭＣＣ）を割り当てることができる。端末はＭＣＣでのみＰＤＣＣＨの検出／デコーディングを行うことができる。すなわち、基地局が端末にＰＤＳＣＨ／ＰＵＳＣＨをスケジュールする場合、ＰＤＣＣＨはＭＣＣ上でのみ送信される。ＭＣＣは、端末固有（UE-specific）、端末グループ固有、もしくはセル固有（cell-specific）の方式で設定することができる。ＭＣＣはＰＣＣを含む。
【００４８】
図６に、クロスキャリアスケジューリングを例示する。同図は、ＤＬスケジューリングを例示しているが、例示された事項は、ＵＬスケジューリングにも同様に適用される。
【００４９】
図６を参照すると、端末に３個のＤＬ ＣＣを構成し、ＤＬ ＣＣ ＡをＰＤＣＣＨモニタリングＤＬ ＣＣ（すなわち、ＭＣＣ）として設定することができる。ＣＩＦがディセーブル（無効化）された場合、それぞれのＤＬ ＣＣは、ＬＴＥ ＰＤＣＣＨの規則（rules）に従って、ＣＩＦを用いずに自体のＰＤＳＣＨをスケジュールするＰＤＣＣＨのみを送信することができる。一方、ＣＩＦがイネーブル（有効化）された場合、ＤＬ ＣＣ Ａ（すなわち、ＭＣＣ）は、ＣＩＦを用いてＤＬ ＣＣ ＡのＰＤＳＣＨをスケジュールするＰＤＣＣＨだけでなく、他のＣＣのＰＤＳＣＨをスケジュールするＰＤＣＣＨも送信することができる。本実施例において、ＤＬ ＣＣ Ｂ／ＣではＰＤＣＣＨが送信されない。
【００５０】
図７には、ＵＬサブフレームの構造を例示する。
【００５１】
図７を参照すると、１ｍｓ長のサブフレーム（５００）は、２つの０．５ｍｓスロット（５０１）で構成される。スロットは、ＣＰ長によって異なる数のＳＣ−ＦＤＭＡシンボルを含むことができる。例えば、通常の（一般）（normal）ＣＰの場合、スロットは７個のＳＣ−ＦＤＭＡシンボルで構成され、拡張ＣＰの場合、スロットは６個のＳＣ−ＦＤＭＡシンボルで構成される。ＲＢ（５０３）は、周波数領域で１２個の副搬送波、時間領域で１個のスロットに該当する、リソースを割り当てる単位である。上りリンクサブフレームの構造は、周波数上で、データ領域（５０４）と制御領域（５０５）とに区別される。データ領域は、ＰＵＳＣＨ（Physical Uplink Shared CHannel）を含み、音声などのデータ信号を送信するために用いられる。制御領域は、ＰＵＣＣＨ（Physical Uplink Control CHannel）を含み、ＵＣＩ（Uplink Control Information）の送信に用いられる。ＰＵＣＣＨは、周波数軸においてデータ領域の両端部に位置するＲＢ（Resource Block）対（RB pair）を含み、スロットを境界でホッピングする。ＳＲＳ（Sounding Reference Signal）は、サブフレームの最後のＳＣ−ＦＤＭＡシンボルで送信される。ＳＲＳは、周期的に送信されてもよく、基地局の要求（要請）（request）に応じて非周期的に送信されてもよい。ＳＲＳ周期的送信は、セル固有パラメータおよび端末固有パラメータによって定義される。セル固有パラメータは、セル内でＳＲＳ送信が可能な全てのサブフレームセット（以下、セル固有ＳＲＳサブフレームセット）を知らせ、端末固有パラメータは、全サブフレームセット内で実際に端末に割り当てられたサブフレームサブセット（以下、端末固有ＳＲＳサブフレームセット）を知らせる。
【００５２】
ＰＵＣＣＨは、次の制御情報を送信するために用いることができる。
【００５３】
−  ＳＲ（Scheduling Request）：ＵＬ−ＳＣＨ（Shared CHannel）リソースの要求に用いられる情報である。ＯＯＫ（On-Off Keying）方式で送信される。
【００５４】
−  ＨＡＲＱ−ＡＣＫ：ＤＬ信号（例えば、ＰＤＳＣＨ、ＳＰＳ解放ＰＤＣＣＨ）に対する受信応答信号である。一例として、一つのＤＬコードワードに対する応答としてＡＣＫ／ＮＡＣＫ  １ビットが送信され、２つのＤＬコードワードに対する応答としてＡＣＫ／ＮＡＣＫ  ２ビットが送信される。
【００５５】
−  ＣＳＩ（Channel Status Information）：ＤＬチャネルに対するフィードバック情報である。ＣＳＩは、ＣＱＩ（Channel Quality Information）、ＲＩ（Rank Indicator）、ＰＭＩ（Precoding Matrix Indicator）、ＰＴＩ（Precoding Type Indicator）などを含む。ここで、ＣＳＩは、周期的ＣＳＩ（periodic CSI；ｐ−ＣＳＩ）を意味する。基地局の要求に応じて送信される非周期的ＣＳＩ（aperiodic CSI；ａ−ＣＳＩ）は、ＰＵＳＣＨを介して送信される。
【００５６】
表２に、ＬＴＥ（−Ａ）におけるＰＵＣＣＨフォーマット（PUCCH format；ＰＦ）とＵＣＩとの関係を示す。
【００５７】
【表２】
0006306224.tif 000003
【００５８】
図８には、スロットレベルのＰＵＣＣＨフォーマット１ａ／１ｂの構造を示す。ＰＵＣＣＨフォーマット１ａ／１ｂでは、同一の内容の制御情報がサブフレーム内でスロット単位で反復される。互いに異なる端末のＡＣＫ／ＮＡＣＫ信号は、ＣＧ−ＣＡＺＡＣ（Computer-Generated Constant Amplitude Zero Auto Correlation）シーケンスの互いに異なるＣＳ（Cyclic Shift）（周波数ドメインコード）とＯＣＣ（Orthogonal Cover Code）（時間ドメイン拡散コード）とで構成された互いに異なるリソースを介して送信される。ＯＣＣは、ウォルシュ（Walsh）／ＤＦＴ直交コードを含む。ＣＳの個数が６個であり、ＯＣの個数が３個である場合、１８個の端末のＡＣＫ／ＮＡＣＫ信号を同一のＰＲＢ（Physical Resource Block）内で多重化することができる。ＰＵＣＣＨフォーマット１では、ＰＵＣＣＨフォーマット１ａ／１ｂの構造においてＡＣＫ／ＮＡＫがＳＲに置き換えられる。
【００５９】
図９は、スロットレベルのＰＵＣＣＨフォーマット２の構造を示す。
【００６０】
図９を参照すると、通常のＣＰが構成された場合、ＰＵＣＣＨフォーマット２は、スロットレベルにおいて５個のＱＰＳＫデータシンボルおよび２個のＲＳシンボルを含む。拡張ＣＰが構成された場合、ＰＵＣＣＨフォーマット２／２ａ／２ｂは、スロットレベルにおいて５個のＱＰＳＫデータシンボルおよび１個のＲＳシンボルを含む。拡張ＣＰが構成された場合、ＲＳシンボルは、各スロットで４番目のＳＣ−ＦＤＭＡシンボルに位置する。このため、ＰＵＣＣＨフォーマット２は、合計１０個のＱＰＳＫデータシンボルを運ぶことができる。それぞれのＱＰＳＫシンボルは、ＣＳによって周波数ドメインで拡散された後、対応するＳＣ−ＦＤＭＡシンボルにマッピングされる。ＲＳは、ＣＳを用いてＣＤＭ（Code Division Multiplexing）によって多重化することができる。Ａ／Ｎ送信とＣＳＩ送信とが同一のサブフレームで要求されることもある。この場合、上位層でＡ／Ｎ＋ＣＳＩ同時送信非許可（non-permission of A/N+CSI simultaneous transmission）に設定される（“Ｓｉｍｕｌｔａｎｅｏｕｓ−ＡＮ−ａｎｄ−ＣＱＩ”パラメータ＝ＯＦＦ）と、Ａ／Ｎ送信のみがＰＵＣＣＨフォーマット１ａ／１ｂで行われ、ＣＳＩ送信はドロップされる（放棄される）（dropped）。一方、Ａ／Ｎ＋ＣＱＩ同時送信許可（permission of A/N+CQI simultaneous transmission）に設定される（“Ｓｉｍｕｌｔａｎｅｏｕｓ−ＡＮ−ａｎｄ−ＣＱＩ”パラメータ＝ＯＮ）と、Ａ／ＮおよびＣＳＩをＰＵＣＣＨフォーマット２／２ａ／２ｂを用いて一緒に送信する。具体的には、通常のＣＰの場合、Ａ／Ｎは、ＰＵＣＣＨフォーマット２ａ／２ｂにおいて各スロットの２番目のＲＳに埋め込まれる（例えば、ＲＳをＡ／Ｎにかける）。拡張ＣＰの場合、Ａ／ＮおよびＣＳＩは、ジョイントコーディングされた後、ＰＵＣＣＨフォーマット２で送信される。
【００６１】
図１０に、スロットレベルのＰＵＣＣＨフォーマット３の構造を例示する。ＰＵＣＣＨフォーマット３は、複数のＡＣＫ／ＮＡＣＫ情報を送信するために用いられ、ＣＳＩおよび／もしくはＳＲを一緒に送信することができる。
【００６２】
図１０を参照すると、一つのシンボルシーケンスが周波数領域にわたって送信され、当該シンボルシーケンスにＯＣＣベースの時間ドメイン拡散が適用される。具体的には、長さ−５（もしくは、長さ−４）のＯＣＣ（Ｃ１〜Ｃ５）を用いて一つのシンボルシーケンス（｛ｄ１，ｄ２，…｝）から５個のＳＣ−ＦＤＭＡシンボル（すなわち、ＵＣＩデータパート（部）（part））が生成される。ここで、シンボルシーケンス（｛ｄ１，ｄ２，…｝）は、変調シンボルシーケンスもしくはコードワードビットシーケンスを意味することができる。シンボルシーケンス（｛ｄ１，ｄ２，…｝）は、ジョイントコーディング（例えば、Reed-Muller code、Tail-biting convolutional codeなど）、ブロック拡散（Block-spreading）、ＳＣ−ＦＤＭＡ変調を経て複数のＡＣＫ／ＮＡＣＫ情報から生成されてもよい。
【００６３】
図１１に、ＰＵＳＣＨを介してＵＣＩを送信する方法を例示する。ＵＣＩ送信が要求されるサブフレームにＰＵＳＣＨが割り当てられている場合、ＵＣＩをＰＵＳＣＨを介して送信することができる（ＰＵＳＣＨピギーバック（piggyback））。具体的には、ＣＳＩ／ＰＭＩおよびＲＩのピギーバックのために、ＰＵＳＣＨデータ（すなわち、ＵＬ−ＳＣＨデータ）情報（例えば、符号化されたシンボル）を、ＣＳＩ／ＰＭＩおよびＲＩの量を考慮してレートマッチング（rate-matching）する。一方、ＡＣＫ／ＮＡＣＫは、ＵＬ−ＳＣＨデータがマッピングされたＳＣ−ＦＤＭＡのリソースの一部にパンクチャリングを用いて挿入する。また、ＵＣＩは、ＵＬ−ＳＣＨデータを用いずにＰＵＳＣＨ上で送信されるようにスケジュールされてもよい。
【００６４】
一方、各端末は、自体／他の端末のＳＲＳを保護するために、セル固有ＳＲＳサブフレームセットにおいてＰＵＣＣＨを送信しなければならない場合、第二のスロットの最後のＳＣ−ＦＤＭＡシンボルをＰＵＣＣＨ送信に使用しない。便宜上、サブフレームの全ＳＣ−ＦＤＭＡシンボルがＰＵＣＣＨ送信に用いられるＰＵＣＣＨフォーマットを通常の（normal）ＰＵＣＣＨフォーマットと称し、第二のスロットの最後のＳＣ−ＦＤＭＡシンボルがＰＵＣＣＨ送信に用いられないＰＵＣＣＨフォーマットを、短縮（shortened）ＰＵＣＣＨフォーマットと称する。同一の理由で、セル固有ＳＲＳサブフレームセットにＰＵＳＣＨが割り当てられた場合、各端末は、第二のスロットの最後のＳＣ−ＦＤＭＡシンボルをＰＵＳＣＨ送信に使用しない。具体的には、ＰＵＳＣＨデータ（すなわち、ＵＬ−ＳＣＨデータ）情報（例えば、符号化されたシンボル）は、最後のＳＣ−ＦＤＭＡシンボルのリソース量を考慮してレートマッチングされる。便宜上、サブフレームの全ＳＣ−ＦＤＭＡシンボルがＰＵＳＣＨ送信に用いられるＰＵＳＣＨを、通常の（normal）ＰＵＳＣＨと称し、第二のスロットの最後のＳＣ−ＦＤＭＡシンボルが用いられないＰＵＳＣＨを、レートマッチングされたＰＵＳＣＨと称する。
【００６５】
図１２は、ＭＡＣ ＰＤＵを示す図である。ＭＡＣ ＰＤＵは、ＤＬ−ＳＣＨ（DownLink Shared CHannel）およびＵＬ−ＳＣＨ（UpLink Shared CHannel）を介して送信される。
【００６６】
図１２を参照すると、ＭＡＣ ＰＤＵは、ＭＡＣヘッダ（MAC header）、０以上のＭＡＣ ＳＤＵ（MAC Service Data Unit（ＭＡＣサービスデータユニット））、０以上のＭＡＣ ＣＥ（MAC Control Element（ＭＡＣ制御エレメント））を含む。ＭＡＣ ＰＤＵサブヘッダ（sub-header）は、対応するＭＡＣ ＳＤＵ、ＭＡＣ ＣＥと同じ順序（order）を有する。ＭＡＣ ＣＥは、ＭＡＣ ＳＤＵの前に位置する。ＭＡＣ ＣＥは、様々なＭＡＣ制御情報を運ぶために用いられる。例えば、ＭＡＣ ＣＥは、ＳＣｅｌｌ活性化／非活性化情報、ＴＡＣ情報、ＢＳＲ（Buffer Status Report）情報、ＰＨＲ（Power Headroom Report）情報を含む。
【００６７】
図１３は、ＰＨ（Power Headroom（パワーヘッドルーム）） ＭＡＣ ＣＥを示す図である。図１３は、拡張（Extended）ＰＨ ＭＡＣ ＣＥを示しており、端末に集約された全体セルに対するＰＨを知らせることができる。ＰＨ ＭＡＣ ＣＥのフィールドは、次のとおりである。
【００６８】
−  Ｃi：ＳＣｅｌｌＩｎｄｅｘ（セカンダリセルインデックス） ｉを有するＳＣｅｌｌに対するＰＨフィールドが存在するか否かを知らせる。Ｃiフィールドは、ＳＣｅｌｌＩｎｄｅｘ ｉを有するＳＣｅｌｌに対するＰＨフィールドが報告される場合には１に設定され、そうでない場合には０に設定される。
【００６９】
−  Ｒ：予備ビット（Reserved bit）。０に設定される。
【００７０】
−  Ｖ：ＰＨ値が実際の送信もしくは基準フォーマット（reference format）に基づいているか否かを知らせる。
【００７１】
−  ＰＨ：パワーヘッドルームレベルを知らせる。
【００７２】
−  Ｐ：端末が電力管理のためにパワーバックオフを適用するか否かを知らせる。
【００７３】
−  ＰCMAC,c：前に位置するＰＨフィールドの値を計算するために用いられたセル別最大電力に関する情報を知らせる。
【００７４】
実施例：インターサイトＣＡにおける電力調整
従来のＬＴＥ−Ａでは、一つの端末に集約される複数のセルは、いずれも一つの基地局で管理することを考慮する（イントラサイトＣＡ）（図１参照）。イントラサイトＣＡでは、全てのセルを一つの基地局が管理するので、ＲＲＣ設定／報告およびＭＡＣ（Medium Access Control）コマンド／メッセージなどに関連したシグナリングを、集約された如何なるセルでも行うことができる。例えば、特定のＳＣｅｌｌをＣＡセルセットに追加したり解放したりする手順、特定のセルの送信モード（Transmission Mode；ＴＭ）を変更する手順、特定のセルに関連付けられたＲＲＭ（Radio Resource Management）測定報告を行う手順などに伴うシグナリングを、ＣＡセルセット内の如何なるセルでも行うことができる。他の例として、特定のＳＣｅｌｌを活性化／非活性化させる手順、ＵＬバッファ管理のためのＢＳＲ（Buffer Status Report）などに伴うシグナリングも、ＣＡセルセット内の如何なるセルでも行うことができる。他の例として、ＵＬ電力制御のためのセル別ＰＨＲ（Power Headroom Report）、ＵＬ同期制御のためのＴＡＧ（Timing Advance Group）別ＴＡＣ（Timing Advance Command）なども、ＣＡセルセット内の如何なるセルでもシグナリングすることができる。
【００７５】
一方、ＬＴＥ−Ａに後続するシステムでは、トラフィック最適化などのために、カバレッジの大きいセル（例えば、マクロセル）内にカバレッジの小さい複数のセル（例えば、マイクロセル）を配置することができる。例えば、一つの端末に対してマクロセルおよびマイクロセルを集約することができ、マクロセルは主に移動性管理用途（例えば、ＰＣｅｌｌ）に用いられ、マイクロセルは主にスループットをブーストするのに（for throughput boosting）（例えば、ＳＣｅｌｌ）用いられる状況を考慮することができる。この場合、一つの端末に集約されるセルは、互いに異なるカバレッジを有することができ、各セルは、地理的に離れている異なった基地局（もしくは、これに対応するノード（例えば、リレー））によってそれぞれ管理されてもよい（インターサイトＣＡ）。
【００７６】
図１４に、インターサイトＣＡを例示する。図１４を参照すると、端末に対する無線リソース制御および管理（例えば、ＲＲＣの全機能およびＭＡＣの一部の機能）などは、ＰＣｅｌｌ（例えば、ＣＣ１）を管理する基地局で担当し、各セル（すなわち、ＣＣ１、ＣＣ２）に対するデータスケジューリングおよびフィードバック手順（例えば、ＰＨＹの全機能およびＭＡＣの主要機能）などは、当該セルを管理する各基地局で担当する方式を考慮することができる。このため、インターサイトＣＡでは、セル間（すなわち、基地局間）における情報／データの交換／伝達が要求される。従来のシグナリング方式を考慮すると、インターサイトＣＡにおいて、セル間（すなわち、基地局間）における情報／データの交換／伝達は、バックホール（BackHaul；ＢＨ）（例えば、有線Ｘ２インターフェースもしくは無線バックホールリンク）を介して行うことができる。しかし、従来の方式をそのまま適用すると、基地局間シグナリング手順で発生するレイテンシ（待ち時間）（latency）などから、セル管理の安全性、リソース制御の効率、データ送信の適応などが大きく低減することにつながる。
【００７７】
一例として、図１４に示すように、一つの端末に集約されたＰＣｅｌｌ（例えば、ＣＣ１）（グループ）およびＳＣｅｌｌ（例えば、ＣＣ２）（グループ）が、それぞれ、基地局−１および基地局−２によって管理されているインターサイトＣＡの状況を仮定することができる。また、ＰＣｅｌｌを管理する基地局（すなわち、基地局−１）が、当該端末に関連したＲＲＣ機能を管理／担当すると仮定する。このとき、ＳＣｅｌｌに関連したＲＲＭ（Radio Resource Management）測定（例えば、ＲＳＲＰ（Reference Signal Received Power）、ＲＳＲＱ（Reference Signal Received Quality））報告がＰＣｅｌｌではなくＳＣｅｌｌ（例えば、ｖｉａ  ＰＵＳＣＨ）を介して送信されるとすれば、基地局−２は、ＲＲＭ測定報告をＢＨを介して基地局−１に伝達しなければならない。また、ＲＲＭ報告に基づいて、例えば、基地局−１がＳＣｅｌｌをＣＡセルセットから解放させるＲＲＣ再設定命令をＰＣｅｌｌ（例えば、ｖｉａ  ＰＤＳＣＨ）を介して端末に指示した場合、端末は、ＲＲＣ再設定命令に対する確認（コンファーム）応答（confirmation response）を、ＰＣｅｌｌではなくＳＣｅｌｌ（例えば、ｖｉａ  ＰＵＳＣＨ）を介して送信することができる。この場合、基地局−２は、確認応答をさらにＢＨなどを介して基地局−１に伝達しなければならない。このため、インターサイトＣＡでは、セル間（すなわち、基地局間）シグナリング手順でかなりのレイテンシを伴う。その結果、ＣＡセルセットの解釈に関して基地局と端末との間の不一致（misalignment）が生じ、安定した／効率的なセルリソース管理および制御がし難くなりうる。
【００７８】
他の例として、上記と同様のインターサイトＣＡの状況で、全てのセルのセル別ＰＨＲ（Power Headroom）がＰＣｅｌｌ（例えば、ｖｉａ  ＰＵＳＣＨ）を介して送信されてもよい。この場合、（ＰＣｅｌｌを管理する）基地局−１は、全てのＰＨＲもしくはＳＣｅｌｌに該当するＰＨＲを、ＢＨなどを介して、（ＳＣｅｌｌを管理する）基地局−２に伝達しなければならない。逆に、全てのセルのセル−別ＰＨＲがＳＣｅｌｌを介して送信される場合、基地局−２は、全てのＰＨＲもしくはＰＣｅｌｌに対応するＰＨＲを、ＢＨなどを介して基地局−１に伝達しなければならない。この場合も、基地局間シグナリングに伴うレイテンシによって、安定した／効率的なＵＬ電力制御およびこれに基づく適応的なＵＬデータスケジューリング／送信がし難くなりうる。
【００７９】
このことから、インターサイトＣＡの状況では、ＤＬ／ＵＬデータスケジューリングおよびＵＣＩ（例えば、ＡＣＫ／ＮＡＣＫ、ＣＳＩ、ＳＲ）送信を、同一の基地局に属するセル（グループ）別に行うことができる。例えば、一つの端末に集約されたＰＣｅｌｌおよびＳＣｅｌｌがそれぞれ基地局−１および基地局−２に属する状況を仮定すると、ＰＣｅｌｌで送信されるＤＬ／ＵＬデータをスケジュールするＤＬ／ＵＬグラントおよび当該ＤＬ／ＵＬデータに対するＡＣＫ／ＮＡＣＫフィードバックは、ＰＣｅｌｌで送信され、ＳＣｅｌｌで送信されるＤＬ／ＵＬデータをスケジュールするＤＬ／ＵＬグラントおよび当該ＤＬ／ＵＬデータに対するＡＣＫ／ＮＡＣＫフィードバックは、ＳＣｅｌｌで送信されてもよい。また、ＰＣｅｌｌに対する非周期的ＣＳＩ（aperiodic CSI；ａ−ＣＳＩ）／周期的ＣＳＩ（periodic CSI；ｐ−ＣＳＩ）報告およびＳＲシグナリングはＰＣｅｌｌで送信され、ＳＣｅｌｌに対するＣＳＩ報告およびＳＲシグナリングはＳＣｅｌｌで送信されてもよい。そのためには、インターサイトＣＡ（もしくは、これと類似のＣＡ構造）では、従来と違い、複数のセルでＰＵＣＣＨ同時送信動作が伴われたり許可されなければならない。しかし、複数のセルでＰＵＣＣＨ同時送信を許可すると、端末の状況／条件（例えば、ハードウェア、位置）などによってＵＬ信号の単一搬送波特性が劣化し、ＵＬ性能の損失につながりうる。
【００８０】
そこで、本発明では、まず、複数のＰＵＣＣＨの同時送信を許可するか否かを、上位層シグナリング（例えば、ＲＲＣシグナリング）を用いて設定することを提案する。ここで、複数のＰＵＣＣＨの同時送信は、複数のセルで複数のＰＵＣＣＨの同時送信（すなわち、複数のセル−別（Per-cell）ＰＵＣＣＨ同時送信）を含む。便宜上、ＰＵＣＣＨ同時送信の許可を示すパラメータを“ｍｕｌｔｉ−ＰＵＣＣＨ”と定義する。ｍｕｌｔｉ−ＰＵＣＣＨがＯＮに設定された場合、端末は、一つのＵＬサブフレーム内で複数のＰＵＣＣＨの同時送信を行うことができる。一方、ｍｕｌｔｉ−ＰＵＣＣＨがＯＦＦに設定された場合、端末は、一つのＵＬサブフレームで複数のＰＵＣＣＨ送信動作を行うことができない。すなわち、ｍｕｌｔｉ−ＰＵＣＣＨがＯＦＦの場合、一つのＵＬサブフレーム内で複数のＰＵＣＣＨ同時送信が許可されず、一つのＵＬサブフレーム内では（単一の（シングル）（single）セル上で）単一のＰＵＣＣＨ送信のみが許可される。
【００８１】
一方、（ｉ）互いに異なるセル上での周期的ＣＳＩと周期的／非周期的ＳＲＳとの同時送信、（ii）互いに異なるセル上での周期的ＣＳＩと非周期的ＣＳＩとの同時送信、（iii）互いに異なるセル上での複数の非周期的ＣＳＩの同時送信、および／もしくは、（iv）互いに異なるセル上でのＳＲと周期的／非周期的ＳＲＳとの同時送信に関しても、許可するか否かを上位層シグナリング（例えば、ＲＲＣシグナリング）を用いて設定することができる。また、互いに異なるセル上でのＨＡＲＱ−ＡＣＫと周期的／非周期的ＳＲＳとの同時送信に関しても、許可するか否かを上位層シグナリング（例えば、ＲＲＣシグナリング）を用いて設定することができる。
【００８２】
また、セル（グループ）別にＳＲＳとＵＣＩとの同時送信を許可するか否かを上位層シグナリング（例えば、ＲＲＣシグナリング）を用いて独立して設定することができる。ＳＲＳとＵＣＩとの同時送信が許可される場合、短縮（shortened）ＰＵＣＣＨフォーマットを用い、ＳＲＳとＵＣＩとの同時送信が許可されない場合、通常の（normal）ＰＵＣＣＨフォーマットを用いることができる。
【００８３】
一方、インターサイトＣＡの状況（もしくは、類似のＣＡ構造）で、ｍｕｌｔｉ−ＰＵＣＣＨ ＯＮ／ＯＦＦ設定をサポートするために、追加の端末動作／手順が要求されてもよい。例えば、ｍｕｌｔｉ−ＰＵＣＣＨ ＯＮでは、一つのＵＬサブフレームで複数のＰＵＣＣＨが同時送信されてもよいが、最大電力制限（maximum power limitation）の状況である場合（例えば、端末の送信電力が端末の最大電力許容値を超えた場合）、複数のＰＵＣＣＨ間で適切なＵＬ電力調整（power adjustment）が必要である。また、ｍｕｌｔｉ−ＰＵＣＣＨ ＯＦＦでは、一つのＵＬサブフレームで一つのＰＵＣＣＨのみが送信されることから、セル別ＰＵＣＣＨ送信は互いに異なる時点で行われなければならない。このため、セル別ＵＣＩ（例えば、ＡＣＫ／ＮＡＣＫ）送信のタイミングも変更され（changed）なければならないことがある。以下では、インターサイトＣＡおよびｍｕｌｔｉ−ＰＵＣＣＨ ＯＮ／ＯＦＦの状況（もしくは、これと類似の構造）のためのＵＬ電力制御方法について提案する。
【００８４】
発明の理解を助けるために、以下では、一つの端末に２個のセルグループが集約された状況を仮定する。例えば、一つの端末にセルグループ１とセルグループ２とが集約された状況を仮定する。ここで、セルグループは一つもしくは複数のセルを含む。このため、セルグループは、一つのセルのみで構成されてもよく、複数のセルで構成されてもよい。ここで、それぞれのセルグループは、互いに異なる基地局に属することができる。具体的には、一つの端末にＰＣｅｌｌグループとＳＣｅｌｌグループとが集約され、ＰＣｅｌｌグループは基地局−１（例えば、マクロ基地局）に属し、ＳＣｅｌｌグループは基地局−２（例えば、マイクロ基地局）に属するように設定することができる。ここで、ＰＣｅｌｌグループは、ＰＣｅｌｌを含むセルグループを表す。ＰＣｅｌｌグループは、ＰＣｅｌｌ単独で構成されたり、あるいは、ＰＣｅｌｌならびに一つもしくは複数のＳＣｅｌｌで構成される。ＳＣｅｌｌグループは、ＳＣｅｌｌのみで構成されたセルグループを表し、一つもしくは複数のＳＣｅｌｌを含む。しかし、これは例示であり、本発明は、一つの端末に３個以上のセルグループ（例えば、一つのＰＣｅｌｌグループおよび２つ以上のＳＣｅｌｌグループ）が集約された状況にも同様に／類似して適用することができる。
【００８５】
また、本発明は、一つの端末に複数のセルグループが集約され、複数のセルグループで複数のＵＬ送信（例えば、ＵＣＩ、ＰＵＣＣＨ、ＰＵＳＣＨ、ＰＲＡＣＨ、ＳＲＳなど）が行われる状況においてのＵＬ電力制御方法について提案する。したがって、以下では、互いに異なる基地局に属する複数のセルグループが一つの端末に集約された場合を中心に説明するが、これは例示であり、本発明は、一つの基地局に属する複数のセルグループが一つの端末に集約された場合にも同様に／類似して適用することができる。
【００８６】
一方、一つの端末にＰＣｅｌｌグループとＳＣｅｌｌグループとが集約された場合、ＰＣｅｌｌグループにおいてＰＵＣＣＨはＰＣｅｌｌで送信され、ＳＣｅｌｌグループにおいてＰＵＣＣＨは一つの特定のＳＣｅｌｌで送信されるように設定することができる。便宜上、ＳＣｅｌｌグループにおいてＰＵＣＣＨを送信するように設定されたＳＣｅｌｌをＡＣｅｌｌと呼ぶ。ここで、（ｉ）ＰＣｅｌｌグループとＳＣｅｌｌグループとは互いに異なる基地局に属したり（例えば、ＰＣｅｌｌ−マクロ基地局、ＳＣｅｌｌ−マイクロ基地局）、（ii）ＰＣｅｌｌグループとＳＣｅｌｌグループとは同じ基地局に属することができる。
【００８７】
ＡＣｅｌｌを介してＰＵＣＣＨを用いたＡ／Ｎ送信が行われるように設定される場合、ＥＰＤＣＣＨベースのスケジューリングと連動する特定のＰＵＣＣＨパラメータおよびＤＣＩシグナリングなどがＡＣｅｌｌにも提供されなければならない。したがって、ＥＰＤＣＣＨセット（これを構成するＥＣＣＥリソース）にリンクされる暗黙的ＰＵＣＣＨリソースの開始インデックスもしくはこれを推定（infer）できるＰＵＣＣＨインデックスオフセットを、（ＰＣｅｌｌで構成されるＥＰＤＣＣＨセットに対してのみ設定する従来の方式とは違い）ＡＣｅｌｌで構成されるＥＰＤＣＣＨセットに対しても設定することを提案する。
【００８８】
また、ＤＬグラントＥＰＤＣＣＨ内の特定のフィールド（例えば、ＴＰＣ／ＡＲＯ）を通じてＡ／Ｎ送信ＰＵＣＣＨリソースの制御／決定に必要な情報（例えば、ＴＰＣ／ＡＲＯ／ＡＲＩ値）をシグナリングすることを、ＡＣｅｌｌに対応する／で送信されるＤＬグラントＥＰＤＣＣＨに対しても提供／活性化することを提案する。詳しくは、フレーム構造タイプ（ＦＤＤもしくはＴＤＤ）ならびにＡ／Ｎフィードバック送信方式（ＰＦ３もしくはＣＨｓｅｌ）によって、ＤＬグラントＥＰＤＣＣＨ内のＴＰＣ／ＡＲＯフィールドを通じてシグナリングされる情報を、セル別に次のように構成することができる。ここで、ＳＣｅｌｌは、ＰＣｅｌｌおよびＡＣｅｌｌ以外の通常のＳＣｅｌｌを意味することができる。
【００８９】
１）ＦＤＤ  ｗｉｔｈ  ＰＦ３
Ａ．ＴＰＣフィールド
ｉ．ＰＣｅｌｌもしくはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌもしくはＡＣｅｌｌをスケジュールするＤＬグラント：ＡＲＯ値
ii．ＳＣｅｌｌをスケジュールするＤＬグラント：固定値（fixed value）
【００９０】
２）ＦＤＤ  ｗｉｔｈ  ＣＨｓｅｌ
Ａ．ＴＰＣフィールド
ｉ．ＰＣｅｌｌもしくはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌもしくはＡＣｅｌｌを介して送信されるＤＬグラント：ＡＲＯ値
ii．ＳＣｅｌｌを介して送信されるＤＬグラント：固定値
【００９１】
３）ＴＤＤ  ｗｉｔｈ  ＰＦ３
Ａ．ＴＰＣフィールド
ｉ．ＰＣｅｌｌもしくはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌもしくはＡＣｅｌｌをスケジュールしＤＡＩ＝１に対応するＤＬグラント：ＡＲＯ値
ii．ＰＣｅｌｌもしくはＡＣｅｌｌをスケジュールしＤＡＩ＝１に対応しないＤＬグラント：ＡＲＩ値
iii ．ＳＣｅｌｌをスケジュールするＤＬグラント：固定値
【００９２】
４）ＴＤＤ  ｗｉｔｈ  ＣＨｓｅｌ
Ａ．ＴＰＣフィールド
ｉ．ＰＣｅｌｌもしくはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌもしくはＡＣｅｌｌを介して送信されるＤＬグラント：ＡＲＯ値
ii．ＳＣｅｌｌを介して送信されるＤＬグラント：固定値
【００９３】
また、任意のセルグループに対するＡ／Ｎフィードバックが特定のＡＣｅｌｌを介して送信されるように設定された場合（この場合、当該セルグループはＡＣｅｌｌを含むことができる）、当該セルグループに関する（すなわち、当該セルグループをスケジュールするおよび／もしくは当該セルグループを介して送信される）全てのＤＬグラントＥＰＤＣＣＨおよび／もしくは全てのＤＬグラントＰＤＣＣＨを介してシグナリングされる（同一のＡ／Ｎ送信時点に適用される）ＡＲＩは、いずれも同一の値を有するようにすることができる。すなわち、端末は、全てのＤＬグラントＰＤＣＣＨ内のＡＲＩがいずれも同一の値を有すると仮定した／見なした状態で動作することができる。このとき、ＡＲＩは、セルグループ別に独立した値を有することができる。一例として、（同一のＡ／Ｎ送信時点に対して）ＰＣｅｌｌが属するセルグループに対するＡＲＩとＡＣｅｌｌが属するセルグループに対するＡＲＩとは、互いに同一の値を有しても異なる値を有してもよい。
【００９４】
以下、複数のセル（グループ）で複数のＵＬ送信がある場合の電力調節方法について具体的に説明する。以下、セルはセルグループに拡張されてもよい。
【００９５】
図１５に、本発明の一実施例に係るＵＬ電力制御方法を例示する。図１５を参照すると、ＰＣｅｌｌ（group）とＳＣｅｌｌ（group）とで同時にＵＬ送信があり、最大電力制限の状況である場合、ＰＣｅｌｌ（group）および／もしくはＳＣｅｌｌ（group）のＵＬ送信に対して電力を制御したり、あるいは、送信をドロップ（放棄）する（drop）ことができる。具体的には、次のチャネル／ＵＣＩの送信時点が一つのＵＬサブフレームで重なりうる。ここで、“ＰＵＣＣＨ ｗｉｔｈ Ｘ”は、ＵＣＩ Ｘが送信されるＰＵＣＣＨを意味し、“ＰＵＳＣＨ ｗｉｔｈ Ｙ”は、ＵＣＩ ＹがピギーバックされたＰＵＳＣＨをそれぞれ意味する。“Ｚ＋Ｗ”は、ＵＣＩ ＺおよびＵＣＩ Ｗが共に送信される場合を意味する。
【００９６】
１）ＰＵＣＣＨ ｗｉｔｈ Ａ／Ｎ
２）ＰＵＣＣＨ ｗｉｔｈ ｐ−ＣＳＩ
３）ＰＵＣＣＨ ｗｉｔｈ ＳＲ
４）ＰＵＣＣＨ ｗｉｔｈ Ａ／Ｎ＋ｐ−ＣＳＩ
５）ＰＵＣＣＨ ｗｉｔｈ Ａ／Ｎ＋ＳＲ
６）ＰＵＣＣＨ ｗｉｔｈ Ａ／Ｎ＋ｐ−ＣＳＩ＋ＳＲ
７）ＰＵＳＣＨ ｗｉｔｈ Ａ／Ｎ
８）ＰＵＳＣＨ ｗｉｔｈ ｐ−ＣＳＩ
９）ＰＵＳＣＨ ｗｉｔｈ ａ−ＣＳＩ
１０）ＰＵＳＣＨ ｗｉｔｈ Ａ／Ｎ＋ｐ−ＣＳＩ
１１）ＰＵＳＣＨ ｗｉｔｈ Ａ／Ｎ＋ａ−ＣＳＩ
【００９７】
本発明では、最大電力制限の状況で電力を減らしたり送信をドロップし（あきらめ）たりするチャネル／ＵＣＩを決定するためのチャネル／ＵＣＩ保護優先順位について提案する。一つの端末に対して、端末総最大電力（以下、Ｐmax,UE）、セルグループ最大電力（以下、Ｐmax,cgp）、セル最大電力（以下、Ｐmax,c）を設定することができる。最大電力制限の状況は、当該チャネル／ＵＣＩの送信電力が端末総最大電力（Ｐmax,UE）、セルグループ最大電力（Ｐmax,cgp）およびセル最大電力（Ｐmax,c）のいずれか一つでも超過した場合に発生しうる。このような最大電力が与えられた状況で、具体的なＵＬ電力調整手順は、１）まず、セル別に一つのセル内におけるチャネル／信号送信電力の和が各セル最大電力（Ｐmax,c）以下となるように調整し、２）セルグループ別に一つのセルグループ内におけるチャネル／信号送信電力の和が各セルグループ最大電力（Ｐmax,cgp）以下となるように調整した後、３）最後に、全てのセル（グループ）内におけるチャネル／信号送信電力の和が端末総最大電力（Ｐmax,UE）以下となるように調整する段階を含むことができる。
【００９８】
この場合、端末は、保護優先順位が相対的に低いチャネル／ＵＣＩに対してまず電力を減らしたり送信をドロップする方式で、ＵＬ電力調整手順を行うことができる。保護優先順位が相対的に低いチャネル／ＵＣＩの送信電力を減らすために、様々な方法を用いることができる。例えば、保護優先順位の高いチャネル／ＵＣＩの送信電力をＰAとし、保護優先順位の低いチャネル／ＵＣＩの送信電力をＰBとする。この場合、ＰA＋ＰB＞Ｐmax,UEの状況が発生すると、端末は、ＰBをＰB’に減らしたり、０にすることができる。ＰB’は、α＊ＰB、ＰB−βもしくはα＊ＰB±βの形態であってもよい。ここで、電力値の単位は、線形スケール値もしくはログスケールであってもよく、０≦α＜１であり、βは正の実数である。例えば、ＰA＋α＊ＰB≦Ｐmax,UEを満たすα値を決定することができる。以下、特別に言及しない限り、優先順位は、チャネル／ＵＣＩ保護優先順位のことを指す。
【００９９】
＜ＰＵＣＣＨ間の衝突＞
本方法で、優先順位は、１）（複数のセル／キャリア上で）複数のＰＵＣＣＨの同時送信能力を有する端末にｍｕｌｔｉ−ＰＵＣＣＨ ＯＮが設定された場合、最大電力制限の状況で電力を減らしたり送信をドロップしたりするチャネル／ＵＣＩを決定するためのチャネル／ＵＣＩ保護優先順位を意味したり、もしくは２）複数のＰＵＣＣＨの同時送信能力を有する端末にｍｕｌｔｉ−ＰＵＣＣＨ ＯＦＦが設定された場合もしくは複数のＰＵＣＣＨの同時送信能力を有しない端末の場合、送信をドロップするチャネル／ＵＣＩを決定するためのチャネル／ＵＣＩ保護優先順位を意味することができる。
【０１００】
Ｒｕｌｅ １−１：ＵＣＩの優先順位（priority）
ＵＣＩの優先順位は、Ａ／Ｎ＞ＳＲ＞ｐ−ＣＳＩ、もしくはＡ／Ｎ＝ＳＲ＞ｐ−ＣＳＩと定めることができる。一つのＰＵＣＣＨを介して複数のＵＣＩが送信される場合、最優先順位（highest priority）の（優先順位が最も高い）ＵＣＩの優先順位を基準に、電力調整／送信ドロップ（送信放棄）（transmission drop）を決定することができる。具体的には、一つのＵＬサブフレームで複数のＰＵＣＣＨの同時送信が要求される場合、最優先順位のＵＣＩに基づいて優先順位が低いＰＵＣＣＨに対してまず電力減少もしくは送信ドロップを適用することができる。ＰＵＣＣＨ間で最優先順位のＵＣＩの優先順位が同一である場合は、同一の比率（すなわち、ｅｑｕａｌ  ｓｃａｌｉｎｇ）で各ＰＵＣＣＨの電力を減らしたり、２ｎｄ（二番目の）（もしくは、更に３ｒｄ（三番目の））最優先順位の（優先順位が二番目（もしくは三番目）に高い）ＵＣＩの優先順位が低いＰＵＣＣＨに対してまず電力減少もしくは送信ドロップを適用することができる。ＰＵＣＣＨで送信されるＵＣＩの数が異なる一方で、１ｓｔ（一番目の）および／もしくは２ｎｄ最優先順位ＵＣＩの優先順位が全て同一である場合は、ＵＣＩの個数が小さいＰＵＣＣＨに対してまず電力減少もしくは送信ドロップを適用することができる。例えば、（Ａ／Ｎ＋ｐ−ＣＳＩ＋ＳＲ）＞（Ａ／Ｎ＋ＳＲ）＞（Ａ／Ｎ＋ｐ−ＣＳＩ）＞Ａ／Ｎ＞＝ＳＲ＞ｐ−ＣＳＩの順序で優先順位を適用することができる。
【０１０１】
Ｒｕｌｅ １−２：電力レベル
高い電力値を有するＰＵＣＣＨに対してまず電力減少もしくは送信ドロップを適用したり、逆に、低い電力値を有するＰＵＣＣＨに対してまず電力減少もしくは送信ドロップを適用することができる。あるいは、最大電力許容値が高いセル（もしくは、セルグループ）のＰＵＣＣＨに対してまず電力減少もしくは送信ドロップを適用したり、逆に、最大電力許容値が低いセル（もしくは、セルグループ）のＰＵＣＣＨに対してまず電力減少もしくは送信ドロップを適用することができる。
【０１０２】
Ｒｕｌｅ １−３：ＰＵＣＣＨフォーマット
ＰＵＣＣＨフォーマット３の優先順位を、他のＰＵＣＣＨフォーマット（例えば、２／２ａ／２ｂ，１／１ａ／１ｂ）の優先順位よりも高く設定することができる。また、ＰＵＣＣＨフォーマット１系列（例えば、１／１ａ／１ｂ）の優先順位を、ＰＵＣＣＨフォーマット２系列（例えば、２／２ａ／２ｂ）の優先順位よりも高く設定することができる。また、Ａ／ＮもしくはＳＲが送信されるＰＵＣＣＨフォーマット（例えば、１／１ａ／１ｂ，２ａ／２ｂ）の優先順位を、ＣＳＩのみが送信されるＰＵＣＣＨフォーマット（例えば、２）の優先順位もより高く設定することができる。また、ＣＳＩおよびＡ／Ｎが同時に送信されるＰＵＣＣＨフォーマット２系列（例えば、２ａ／２ｂ）の優先順位を、Ａ／Ｎおよび／もしくはＳＲが送信されるＰＵＣＣＨフォーマット１系列（例えば、１／１ａ／１ｂ）の優先順位よりも高く設定することができる。また、（同一のＰＵＣＣＨフォーマットに対して）ＳＲＳ送信／保護などのために設定／使用される短縮（shortened）ＰＵＣＣＨフォーマットの優先順位を、通常のＰＵＣＣＨフォーマットの優先順位よりも高く設定したり、逆に、通常のＰＵＣＣＨフォーマットの優先順位を短縮ＰＵＣＣＨフォーマットの優先順位よりも高く設定することができる。
【０１０３】
Ｒｕｌｅ １−４：ＵＣＩのサイズ
少数のＵＣＩビットもしくは少数のＡ／Ｎ（および／もしくはＳＲ）ビットを送信するＰＵＣＣＨに対して、まず電力減少もしくは送信ドロップを適用することができる。また、少数のセルもしくは少数のＴＢ（Transport Block）に対応するＡ／Ｎを送信するＰＵＣＣＨに対して、まず電力減少もしくは送信ドロップを適用することができる。
【０１０４】
Ｒｕｌｅ １−５：ＣＳＩのタイプ／サイズ
低い優先順位のＣＳＩタイプを送信するＰＵＣＣＨに対してまず電力減少もしくは送信ドロップを適用することができる。ＣＳＩタイプ間の優先順位は、例えば、ＣＳＩタイプ３、５、６、２ａ＞ＣＳＩタイプ２、２ｂ、２ｃ、４＞ＣＳＩタイプ１、１ａなどの順序に従うことができる。また、少数のセルに対するＣＳＩを送信するＰＵＣＣＨもしくは優先順位の低いセルに対するＣＳＩを送信するＰＵＣＣＨに対して、まず電力減少もしくは送信ドロップを適用することができる。セル間の優先順位は、あらかじめ指定されてもよく、ＲＲＣシグナリングなどによって設定されてもよい。ＣＳＩタイプによってフィードバックされる情報は、次のとおりである。
【０１０５】
−  ＣＳＩタイプ１：端末選択サブバンド（UE-selected subband）に対するＣＱＩ
−  ＣＳＩタイプ１ａ：サブバンドＣＱＩおよびｓｅｃｏｎｄ ＰＭＩ（Precoding Matrix Index）（第２ＰＭＩ）
−  ＣＳＩタイプ２、２ｂ、２ｃ：ワイドバンドＣＱＩおよびＰＭＩ
−  ＣＳＩタイプ２ａ：ワイドバンドＰＭＩ
−  ＣＳＩタイプ３：ＲＩ（Rank Indicator）。
−  ＣＳＩタイプ４：ワイドバンドＣＱＩ
−  ＣＳＩタイプ５：ＲＩおよびワイドバンドＰＭＩ
−  ＣＳＩタイプ６：ＲＩおよびＰＴＩ（Precoding Type Indicator）
【０１０６】
Ｒｕｌｅ １−６：ＦＤＤ  ｖｓ．  ＴＤＤ
ＦＤＤセルを介して送信されるＰＵＣＣＨの優先順位を、ＴＤＤセルを介して送信されるＰＵＣＣＨの優先順位よりも高く設定することができる。逆に、ＴＤＤセルを介して送信されるＰＵＣＣＨの優先順位を、ＦＤＤセルを介して送信されるＰＵＣＣＨの優先順位よりも高く設定することができる。
【０１０７】
Ｒｕｌｅ １−７：ＣＰ長
拡張ＣＰとして設定されたセルを介して送信されるＰＵＣＣＨの優先順位を、通常のＣＰとして設定されたセルを介して送信されるＰＵＣＣＨの優先順位よりも高く設定することができる。逆に、通常のＣＰとして設定されたセルを介して送信されるＰＵＣＣＨの優先順位を、拡張ＣＰとして設定されたセルを介して送信されるＰＵＣＣＨの優先順位よりも高く設定することができる。
【０１０８】
Ｒｕｌｅ １−８：セルの優先順位
（ＰＵＣＣＨ間でＵＣＩ優先順位などが同一の場合）セル保護優先順位を適用することができる。セル保護優先順位は、あらかじめ指定されてもよく（例えば、ＰＣｅｌｌ＞ＳＣｅｌｌ）、ＲＲＣシグナリングなどによって設定されてもよい。一例として、ＰＣｅｌｌ（もしくは、ＰＣｅｌｌが属するセルグループ）におけるＤＬデータ受信に対応するＡ／Ｎ送信と、ＳＣｅｌｌ（もしくは、ＳＣｅｌｌでのみ構成されたセルグループ）におけるＤＬデータ受信に対応するＡ／Ｎ送信とが同一の時点で衝突する場合、ＳＣｅｌｌ Ａ／Ｎに対応するＰＵＣＣＨに対して優先的に電力を減らしたり送信をドロップしたりすることができる。
【０１０９】
ＳＲの場合、各セル（グループ）別に送信することができ、複数のセル（グループ）で送信する複数のＳＲは、１）いずれも同一の一つのタイミング／周期（period）を有するように設定したり、２）それぞれ独立したタイミング／周期（period）を有するように設定することができる。
【０１１０】
Ｒｕｌｅ １−１〜１−８は、単独で用いられてもよく、組み合わせて用いられてもよい。この場合、いかなるＲｕｌｅもしくはいかなるＲｕｌｅの組合せを適用するかを、あらかじめ指定しておいてもよく、ＲＲＣシグナリングなどによって設定してもよい。
【０１１１】
＜ＰＵＳＣＨ間の衝突＞
本方法において、優先順位は、１）（複数のセル／キャリア上で）複数のＰＵＳＣＨの同時送信能力を有する端末が最大電力制限の状況で電力を減らしたり送信をドロップしたりするチャネル／ＵＣＩを決定するためのチャネル／ＵＣＩ保護優先順位を意味したり、または２）複数のＰＵＳＣＨの同時送信能力を有しない端末の場合、送信をドロップするチャネル／ＵＣＩを決定するためのチャネル／ＵＣＩ保護優先順位を意味することができる。
【０１１２】
Ｒｕｌｅ ２−１：ＵＣＩの優先順位
ＵＣＩの優先順位は、Ａ／Ｎ＞ａ−ＣＳＩ＞ｐ−ＣＳＩもしくはＡ／Ｎ＞ａ−ＣＳＩ＝ｐ−ＣＳＩと定めることができる。一つのＰＵＳＣＨを介して複数のＵＣＩが送信される場合、最優先順位（highest priority）のＵＣＩの優先順位を基準に電力調整／送信ドロップを決定することができる。具体的には、一つのＵＬサブフレームで複数のＰＵＳＣＨの同時送信が要求される場合、最優先順位のＵＣＩの優先順位が低いＰＵＳＣＨに対してまず電力減少もしくは送信ドロップを適用することができる。ＰＵＳＣＨ間で最優先順位ＵＣＩの優先順位が同一である場合は、同一の比率で各ＰＵＳＣＨの電力を減らしたり、２ｎｄ（もしくは、更に３ｒｄ）の最優先順位ＵＣＩの優先順位が低いＰＵＳＣＨに対してまず電力減少もしくは送信ドロップを適用することができる。ＰＵＳＣＨで送信されるＵＣＩの7数が異なる一方で、１ｓｔおよび／もしくは２ｎｄ最優先順位ＵＣＩの優先順位が全て同一である場合は、ＵＣＩの数が小さいＰＵＳＣＨに対してまず電力減少もしくは送信ドロップを適用する。例えば、（Ａ／Ｎ＋ａ−ＣＳＩ）＞＝（Ａ／Ｎ＋ｐ−ＣＳＩ）＞Ａ／Ｎ＞ａ−ＣＳＩ＞＝ｐ−ＣＳＩの順序で優先順位を適用することができる。
【０１１３】
Ｒｕｌｅ ２−２：電力レベル
高い電力値を有するＰＵＳＣＨに対してまず電力減少もしくは送信ドロップを適用したり、逆に、低い電力値を有するＰＵＳＣＨに対してまず電力減少もしくは送信ドロップを適用することができる。あるいは、最大電力許容値が高いセル（もしくは、セルグループ）のＰＵＳＣＨに対してまず電力減少もしくは送信ドロップを適用したり、逆に、最大電力許容値が低いセル（もしくは、セルグループ）のＰＵＳＣＨに対してまず電力減少もしくは送信ドロップを適用することができる。
【０１１４】
Ｒｕｌｅ ２−３：レートマッチング（rate-matching）
（ＳＲＳ送信／保護などのために）レートマッチングが適用されたＰＵＳＣＨの優先順位を、そうでないＰＵＳＣＨの優先順位よりも高く設定したり、逆に、レートマッチングが適用されたＰＵＳＣＨの優先順位を、そうでないＰＵＳＣＨの優先順位よりも低く設定することができる。
【０１１５】
Ｒｕｌｅ ２−４：ＵＣＩのサイズ
少数のＵＣＩビットもしくは少数のＡ／Ｎ（および／もしくはＳＲ）ビットを送信するＰＵＳＣＨに対して、まず電力減少もしくは送信ドロップを適用することができる。また、少数のセルに対応するＡ／Ｎもしくは少数のＴＢに対応するＡ／Ｎを送信するＰＵＳＣＨに対して、まず電力減少もしくは送信ドロップを適用することができる。
【０１１６】
Ｒｕｌｅ ２−５：ＣＳＩのタイプ／サイズ
低い優先順位のＣＳＩタイプを送信するＰＵＳＣＨに対してまず電力減少もしくは送信ドロップを適用することができる。ＣＳＩタイプの優先順位は、例えば、ＣＳＩタイプ３、５、６、２ａ＞ＣＳＩタイプ２、２ｂ、２ｃ、４＞ＣＳＩタイプ１、１ａに従うことができる。また、少数のセルに対するＣＳＩを送信するＰＵＳＣＨもしくは優先順位の低いセルに対するＣＳＩを送信するＰＵＳＣＨに対して、まず電力減少もしくは送信ドロップを適用することができる。セル間の優先順位は、あらかじめ指定されてもよく、ＲＲＣシグナリングなどによって設定されてもよい。
【０１１７】
Ｒｕｌｅ ２−６：ＦＤＤ  ｖｓ．  ＴＤＤ
ＦＤＤセルを介して送信されるＰＵＳＣＨの優先順位を、ＴＤＤセルを介して送信されるＰＵＳＣＨの優先順位よりも高く設定したり、逆に、ＴＤＤセルを介して送信されるＰＵＳＣＨの優先順位を、ＦＤＤセルを介して送信されるＰＵＳＣＨの優先順位よりも高く設定することができる。
【０１１８】
Ｒｕｌｅ ２−７：ＣＰ長
拡張ＣＰとして設定されたセルを介して送信されるＰＵＳＣＨの優先順位を、通常のＣＰとして設定されたセルを介して送信されるＰＵＳＣＨの優先順位よりも高く設定したり、逆に、通常のＣＰとして設定されたセルを介して送信されるＰＵＳＣＨの優先順位を、拡張ＣＰとして設定されたセルを介して送信されるＰＵＳＣＨの優先順位よりも高く設定することができる。
【０１１９】
Ｒｕｌｅ ２−８：セルの優先順位
（ＰＵＳＣＨ間でＵＣＩ優先順位などが同一である場合）セル保護優先順位を適用することができる。セル保護優先順位は、あらかじめ指定されてもよく（例えば、ＰＣｅｌｌ＞ＳＣｅｌｌ）、ＲＲＣシグナリングなどによって設定されてもよい。一例として、ＰＣｅｌｌ（もしくは、ＰＣｅｌｌが属するセルグループ）におけるＤＬデータ受信に対応するＡ／Ｎ送信とＳＣｅｌｌ（もしくは、ＳＣｅｌｌでのみ構成されたセルグループ）におけるＤＬデータ受信に対応するＡ／Ｎ送信とが同一の時点で衝突する場合、ＳＣｅｌｌ Ａ／Ｎを含むＰＵＳＣＨに対して優先的に電力を減らしたり送信をドロップしたりすることができる。
【０１２０】
また、ＰＵＳＣＨ ｗ／ｏ ＵＣＩ（すなわち、ＵＣＩピギーバックを伴わずに送信されるＰＵＳＣＨ）間の衝突に対しても、Ｒｕｌｅ ２−２（電力レベル）、Ｒｕｌｅ ２−３（レートマッチング）、Ｒｕｌｅ ２−６（ＦＤＤ ｖｓ． ＴＤＤ）および／もしくはＲｕｌｅ ２−７（ＣＰ長）などの方式を適用することができる。また、Ｒｕｌｅ ２−２、２−３、２−６もしくは２−７において、優先順位は、（一つもしくは複数のセルで構成された）特定のセルグループに対する／対応するＵＣＩがピギーバックされる（当該特定のセルグループ内）セルもしくはＰＵＳＣＨを選択するための用途に用いることができる。
【０１２１】
Ｒｕｌｅ ２−１〜２−８は、単独で用いられてもよく、組み合わせて用いられてもよい。この場合、いなかるＲｕｌｅもしくはいなかるＲｕｌｅの組合せが適用されるかを、あらかじめ指定しておいてもよく、ＲＲＣシグナリングなどを用いて設定してもよい。
【０１２２】
＜ＰＵＣＣＨ／ＰＵＳＣＨ間の衝突＞
本方法で、優先順位は、１）（複数のセル／キャリア上で）ＰＵＣＣＨ／ＰＵＳＣＨに対する同時送信能力を有する端末にＰＵＣＣＨ／ＰＵＳＣＨ同時送信が設定／許可された場合、最大電力制限の状況で電力を減らしたり送信をドロップしたりするチャネル／ＵＣＩを決定するためのチャネル／ＵＣＩ保護優先順位を意味したり、もしくは２）ＰＵＣＣＨ／ＰＵＳＣＨに対する同時送信能力を有する端末にＰＵＣＣＨ／ＰＵＳＣＨ同時送信が設定／許可されていない場合もしくはＰＵＣＣＨ／ＰＵＳＣＨに対する同時送信能力を有しない端末の場合、送信をドロップするチャネル／ＵＣＩを決定するためのチャネル／ＵＣＩ保護優先順位を意味することができる。
【０１２３】
Ｒｕｌｅ ３−１：ＵＣＩ／チャネル優先順位
ＵＣＩ優先順位は、Ｒｕｌｅ １−１および２−１に定義された方式に従い、チャネル優先順位は、ＰＵＣＣＨ＞ＰＵＳＣＨに従うことができる。ＵＣＩ優先順位を適用した後、チャネル優先順位を適用することができる。一例として、ＵＣＩ優先順位が同一であるかもしくはＰＵＳＣＨで送信されるＵＣＩの優先順位が相対的に低い場合には、ＰＵＳＣＨに対してまず電力減少もしくは送信ドロップを適用し、ＰＵＣＣＨで送信されるＵＣＩの優先順位が相対的に低い場合には、ＰＵＣＣＨに対してまず電力減少もしくは送信ドロップを適用することができる。他の例として、チャネル優先順位は、ＰＵＣＣＨ＜ＰＵＳＣＨに従うこともできる。この場合、ＰＵＳＣＨで送信されるＵＣＩの保護優先順位が相対的に低い場合には、ＰＵＳＣＨに対してまず電力減少もしくは送信ドロップを適用し、ＵＣＩ保護優先順位が同一の場合もしくはＰＵＣＣＨで送信されるＵＣＩの保護優先順位が相対的に低い場合には、ＰＵＣＣＨに対してまず電力減少もしくは送信ドロップを適用することができる。
【０１２４】
Ｒｕｌｅ ３−２：電力レベル
高い電力値を有するチャネルに対してまず電力減少もしくは送信ドロップを適用したり、逆に、低い電力値を有するチャネルに対してまず電力減少もしくは送信ドロップを適用することができる。あるいは、最大電力許容値が高いセル（もしくは、セルグループ）のチャネルに対してまず電力減少もしくは送信ドロップを適用したり、逆に、最大電力許容値が低いセル（もしくは、セルグループ）のチャネルに対してまず電力減少もしくは送信ドロップを適用することができる。
【０１２５】
Ｒｕｌｅ ３−３：チャネルフォーマット
ＰＵＣＣＨフォーマット３の優先順位を、ＰＵＳＣＨの優先順位よりも高く設定することができる。また、ＰＵＳＣＨ ｗｉｔｈ Ａ／Ｎの優先順位を、ＰＵＣＣＨフォーマット１系列（例えば、１／１ａ／１ｂ）の優先順位および／もしくはＰＵＣＣＨフォーマット２系列（例えば、２／２ａ／２ｂ）の優先順位よりも高く設定することができる。また、ＣＳＩとＡ／Ｎとの同時送信を行うＰＵＣＣＨフォーマット２系列（例えば、２ａ／２ｂ）の優先順位を、ＰＵＳＣＨ ｗｉｔｈ Ａ／Ｎの優先順位よりも高く設定することができる。また、レートマッチングが適用されたＰＵＳＣＨ ｗｉｔｈ Ａ／Ｎの優先順位をＰＵＣＣＨの優先順位よりも高く設定し、および／もしくは、レートマッチングが適用されていないＰＵＳＣＨ ｗｉｔｈ Ａ／Ｎの優先順位をＰＵＣＣＨ（ｗｉｔｈ Ａ／Ｎ）の優先順位よりも低く設定することができる。また、逆に優先順位を適用することも可能である（すなわち、非（ノン）（non）レートマッチングされた（レートマッチングされていない）ＰＵＳＣＨ ｗｉｔｈ Ａ／Ｎ＞ＰＵＣＣＨ、および／もしくは、ＰＵＣＣＨ（ｗｉｔｈ Ａ／Ｎ）＞レートマッチングされたＰＵＳＣＨ ｗｉｔｈ Ａ／Ｎ）。また、短縮ＰＵＣＣＨフォーマットｗｉｔｈ Ａ／Ｎの優先順位をＰＵＳＣＨの優先順位よりも高く設定し、および／もしくは、通常のＰＵＣＣＨフォーマットｗｉｔｈ Ａ／Ｎの優先順位をＰＵＳＣＨ（ｗｉｔｈ Ａ／Ｎ）の優先順位よりも低く設定することができる。また、逆に優先順位を適用することも可能である（すなわち、通常のＰＵＣＣＨフォーマットｗｉｔｈ Ａ／Ｎ＞ＰＵＳＣＨ、および／もしくは、ＰＵＳＣＨ（ｗｉｔｈ Ａ／Ｎ）＞短縮ＰＵＣＣＨフォーマット ｗｉｔｈ Ａ／Ｎ）。
【０１２６】
Ｒｕｌｅ ３−４：ＵＣＩのサイズ
少数のＵＣＩビットもしくは少数のＡ／Ｎ（および／もしくはＳＲ）ビットを送信するチャネルに対して、まず電力減少もしくは送信ドロップを適用することができる。また、少数のセルに対応するＡ／Ｎもしくは少数のＴＢに対応するＡ／Ｎを送信するチャネルに対して、まず電力減少もしくは送信ドロップを適用することができる。
【０１２７】
Ｒｕｌｅ ３−５：ＣＳＩタイプ／サイズ
低い優先順位のＣＳＩタイプを送信するチャネルに対してまず電力減少もしくは送信ドロップを適用することができる。ＣＳＩタイプの優先順位は、例えば、ＣＳＩタイプ３、５、６、２ａ＞ＣＳＩタイプ２、２ｂ、２ｃ、４＞ＣＳＩタイプ１、１ａに従うことができる。また、少数のセルに対するＣＳＩを送信するチャネルもしくは優先順位の低いセルに対するＣＳＩを送信するチャネルに対して、まず電力減少もしくは送信ドロップを適用することができる。セル間の優先順位は、あらかじめ指定されてもよく、ＲＲＣシグナリングなどによって設定されてもよい。
【０１２８】
Ｒｕｌｅ ３−６：ＦＤＤ ｖｓ． ＴＤＤ
ＦＤＤセルを介して送信されるチャネルの優先順位を、ＴＤＤセルを介して送信されるチャネルの優先順位よりも高く設定したり、逆に、ＴＤＤセルを介して送信されるチャネルの優先順位を、ＦＤＤセルを介して送信されるチャネルの優先順位よりも高く設定することができる。
【０１２９】
Ｒｕｌｅ ３−７：ＣＰ長
拡張ＣＰとして設定されたセルを介して送信されるチャネルの優先順位を、通常のＣＰとして設定されたセルを介して送信されるチャネルの優先順位よりも高く設定したり、逆に、通常のＣＰとして設定されたセルを介して送信されるチャネルの優先順位を、拡張ＣＰとして設定されたセルを介して送信されるチャネルの優先順位よりも高く設定することができる。
【０１３０】
Ｒｕｌｅ ３−８：セル優先順位
（チャネル間でＵＣＩ優先順位などが同一である場合）セル保護優先順位を適用することができる。セル保護優先順位は、あらかじめ指定されてもよく（例えば、ＰＣｅｌｌ＞ＳＣｅｌｌ）、ＲＲＣシグナリングなどによって設定されてもよい。一例として、ＰＣｅｌｌ（もしくは、ＰＣｅｌｌが属するセルグループ）におけるＤＬデータ受信に対応するＡ／Ｎ送信とＳＣｅｌｌ（もしくは、ＳＣｅｌｌでのみ構成されたセルグループ）におけるＤＬデータ受信に対応するＡ／Ｎ送信とが同一の時点で衝突する場合、ＳＣｅｌｌ Ａ／Ｎを運ぶチャネルに対して優先的に電力を減らしたり送信をドロップしたりすることができる。
【０１３１】
Ｒｕｌｅ ３−１〜３−８は、単独で用いられてもよく、組み合わせて用いられてもよい。この場合、いなかるＲｕｌｅもしくはいなかるＲｕｌｅの組合せが適用されるかを、あらかじめ指定しておいてもよく、ＲＲＣシグナリングなどを用いて設定してもよい。
【０１３２】
一方、ＰＲＡＣＨおよび／もしくはＳＲＳの送信時点が同一のサブフレームで重なったり、ＰＲＡＣＨおよび／もしくはＳＲＳの送信時点とＰＵＣＣＨおよび／もしくはＰＵＳＣＨの送信時点とが同一のサブフレームで重なることがある。この場合、優先順位は、ＰＲＡＣＨ＞ＰＵＣＣＨ／ＰＵＳＣＨ＞ＳＲＳに従うことができる。ＰＵＣＣＨ／ＰＵＳＣＨの優先順位は、Ｒｕｌｅ ３−１〜３−８によって決定することができる。また、ＰＲＡＣＨ間の衝突およびＳＲＳ間の衝突時には、同一の比率でそれぞれの電力を減らしたり、Ｒｕｌｅ ３−２（電力レベル）、Ｒｕｌｅ ３−６（ＦＤＤ ｖｓ． ＴＤＤ）、Ｒｕｌｅ ３−７（ＣＰ長）および／もしくはＲｕｌｅ ３−８（セル優先順位）などの方式を適用したり、（あらかじめ指定されたりＲＲＣシグナリングなどによって設定された）セル間の保護優先順位に従う電力減少／送信ドロップを適用することができる。また、ＰＲＡＣＨ間の衝突時には、相対的に大きい（もしくは、相対的に小さい）ＯＦＤＭＡ／ＳＣ−ＦＤＭＡシンボル区間（duration）を有するＰＲＡＣＨフォーマットの優先順位を高く設定したり、再送信されるＰＲＡＣＨの優先順位を初期送信されるＰＲＡＣＨの優先順位よりも高く設定することができる。
【０１３３】
次に、ＤＣＩフォーマットを用いた電力制御について説明する。ＤＣＩフォーマット（例えば、ＴＰＣコマンドを含むＤＬ／ＵＬグラントＤＣＩフォーマットおよび／もしくはＵＥグループ電力制御用ＤＣＩフォーマット３／３Ａ）を用いた電力制御は、単一のセルが構成された場合にも適用可能である。便宜上、以下の説明は、ＤＣＩフォーマット３／３Ａを中心に例示するが、ＴＰＣフィールドを含むＤＣＩフォーマットにも同様に／類似して適用することができる。具体的には、従来技術では、全てのセルに対して同一のＴＰＣコマンド値（the same TPC command value）および／もしくは同数の種類の値（the same number of values）が適用された。一例として、従来のＴＰＣコマンドは、−１、０、１、３ｄＢの計４種類の値（すなわち、２ビットのＴＰＣフィールドサイズ）を有している。一方、マクロセルとマイクロセルとが集約されたＣＡの状況（もしくは、その他のＣＡ）では、セル間カバレッジ差および／もしくは互いに異なる干渉環境などを考慮して、セル（グループ）別に独立したＴＰＣコマンド値および／もしくは（値の）種類の数（例えば、独立したＴＰＣフィールドサイズ）を設定／適用することを考慮することができる。一例として、ＰＣｅｌｌにおけるＰＵＣＣＨ送信と特定のＡＣｅｌｌにおけるＰＵＣＣＨ送信とに適用されるＴＰＣコマンド値および／もしくは種類の数（例えば、ＤＬグラント内のＴＰＣフィールドサイズ）を異なるように設定することができる。このため、ＤＣＩフォーマット３／３Ａのペイロードサイズは、ＤＣＩフォーマット３／３Ａが送信されるセルのタイプによって異なりうる。したがって、端末は、ＤＣＩフォーマット３／３Ａを受信しようとするセルのタイプ（例えば、ＰＣｅｌｌ、ＡＣｅｌｌ）によって別々にＤＣＩフォーマット３／３Ａのペイロードサイズを仮定してブラインドデコーディングを試みなければならず、ＤＣＩフォーマット３／３Ａのペイロードも別々に解釈しなければならない。また、セル（グループ）１のＰＵＳＣＨ送信とセル（グループ）２のＰＵＳＣＨ送信とに適用されるＴＰＣコマンド値および／もしくは種類の数（例えば、ＵＬグラント内のＴＰＣフィールドサイズ）を異なるように設定することができる。ＴＰＣコマンド値および／もしくは種類の数をセル（グループ）別に独立して設定するか否かは、上位層信号（例えば、ＲＲＣ信号）によって明示的に指示されてもよく、他の情報（もしくは、パラメータ）を用いて間接的に指示されてもよい。例えば、ＴＰＣコマンド値および／もしくは種類の数をセル（グループ）別に独立して設定するか否かは、インターサイトＣＡ動作／設定の有無、ｍｕｌｔｉ−ＰＵＣＣＨ ＯＮ／ＯＦＦを用いて間接的に指示／設定することができる。具体的には、インターサイトＣＡが動作／設定された場合、ｍｕｌｔｉ−ＰＵＣＣＨがＯＮに設定された場合、ＴＰＣコマンド値および／もしくは種類の数をセル（グループ）別に独立して設定することができる。
【０１３４】
また、端末グループ電力制御に用いられるＤＣＩフォーマット３／３ＡのＴＰＣコマンドは、従来技術では、ＰＣｅｌｌ ＰＵＣＣＨ／ＰＵＳＣＨ送信にのみ適用された。しかし、本発明では、ＤＣＩフォーマット３／３ＡのＴＰＣコマンドが、いずれのセル（グループ）のＰＵＣＣＨ送信および／もしくはＰＵＳＣＨ送信に適用されるかを、上位層シグナリング（例えば、ＲＲＣシグナリング）を用いて指定することも可能である。
【０１３５】
一方、（マイクロ）セルが限られた地域内に密集したクラスタ形態で構成される環境（もしくは、類似のセル環境）においてセル間干渉制御（および／もしくは、互いに異なるＤＬ／ＵＬリソース構成）などによって時変する干渉の状況を考慮して、特定のセルに対するＴＰＣコマンドの適用／累積（accumulation）動作をＵＬ ＳＦ（セット）別に独立して行うように設定することができる。一例として、ＰＵＣＣＨ送信が可能なＵＬ ＳＦを２個のＳＦセット（例えば、ＳＦセット１、２）に分けた状態で、ＳＦセット１に対応するＤＬ ＳＦのＤＬグラントでシグナリングされるＴＰＣコマンドは、ＳＦセット１のＰＵＣＣＨ送信にのみ適用／累積することができる。また、ＳＦセット２に対応するＤＬ ＳＦのＤＬグラントでシグナリングされるＴＰＣコマンドは、ＳＦセット２のＰＵＣＣＨ送信にのみ適用／累積することができる。他の例として、ＰＵＳＣＨ送信が可能なＵＬ ＳＦを２個のＳＦセット（例えば、ＳＦセット１、２）に分けた状態で、ＳＦセット１をスケジュールするＵＬグラントでシグナリングされるＴＰＣコマンドは、ＳＦセット１のＰＵＳＣＨ送信にのみ適用／累積することができる。また、ＳＦセット２をスケジュールするＵＬグラントでシグナリングされるＴＰＣコマンドは、ＳＦセット２のＰＵＳＣＨ送信にのみ適用／累積することができる。この場合、ＴＰＣコマンド値および／もしくは種類の数（例えば、独立したＴＰＣフィールドサイズ）をＳＦ（セット）別に独立して設定／適用することができる。例えば、ＳＦセット１のＰＵＣＣＨ送信（例えば、Ａ／Ｎ）とＳＦセット２のＰＵＣＣＨ送信（例えば、Ａ／Ｎ）とに対応するＤＬグラントでシグナリングされるＴＰＣコマンド値および／もしくは種類の数（例えば、ＴＰＣフィールドサイズ）を異なるように設定することができる。また、ＳＦセット１のＰＵＳＣＨ送信とＳＦセット２のＰＵＳＣＨ送信とをスケジュールするＵＬグラントでシグナリングされるＴＰＣコマンド値および／もしくは種類の数（例えば、ＴＰＣフィールドサイズ）を異なるように設定することができる。
【０１３６】
また、ＤＣＩフォーマット３／３ＡのＴＰＣコマンドが適用されるＵＬ ＳＦは、次のように決定することができる。
【０１３７】
方法０）ＴＰＣコマンドを、全てのＵＬ ＳＦ（セット）のＰＵＣＣＨ／ＰＵＳＣＨ送信に適用することができる。
【０１３８】
方法１）ＴＰＣコマンドを、特定のＵＬ ＳＦ（セット）のＰＵＣＣＨ／ＰＵＳＣＨ送信に適用されると自動的に指定することができる。例えば、特定のＵＬ ＳＦ（セット）は、（上位層（例えば、ＲＲＣ）シグナリング／設定上）最小の（セット）インデックスを有するＵＬ ＳＦ（セット）を含む。
【０１３９】
方法２）ＴＰＣコマンドがどのＵＬ ＳＦ（セット）のＰＵＣＣＨ／ＰＵＳＣＨ送信に適用されるかを、上位層シグナリング（例えば、ＲＲＣシグナリング）を用いて指定することができる。
【０１４０】
方法３）ＴＰＣコマンドの送信／受信時点（以下、３／３Ａ−ＴＰＣタイミング）が特定のＵＬ ＳＦセットに属したり関連付けられる場合（例えば、３／３Ａ−ＴＰＣタイミングが特定のＵＬ ＳＦセットに対応するＤＬグラントタイミングおよび／もしくは特定のＵＬ ＳＦセットをスケジュールするＵＬグラントタイミングと一致する場合）、ＴＰＣコマンドを特定のＵＬ ＳＦセットのＰＵＣＣＨ／ＰＵＳＣＨ送信に適用することができる。一方、そうでない場合（すなわち、３／３Ａ−ＴＰＣタイミングが特定のＳＦセットに属しないか／関連付けられていない場合）には、次のオプションを考慮することができる。オプションｉ）方法０）、１）もしくは２）を適用したり、オプションii）３／３Ａ−ＴＰＣタイミング（および／もしくは３／３Ａ−ＴＰＣタイミングに特定のＳＦオフセットが加えられた時点）以前もしくは以降の最も隣接したＳＦセットのＰＵＣＣＨ／ＰＵＳＣＨ送信にＴＰＣコマンドを適用したり、または、オプションiii ）いかなるＳＦセットに対してもＴＰＣコマンドを適用しなくてもよい。オプションiii ）の具現例として）、端末は、特定のＳＦセットに属しないか／関連付けられていない時点では、ＤＣＩフォーマット３／３Ａ（ＴＰＣコマンド）が送信／受信されないと見なした／仮定した状態で動作することができる。例えば、端末は、特定のＳＦセットに属しないか／関連付けられていない時点では、ＤＣＩフォーマット３／３Ａに対するブラインドデコーディングを省略することができる。
【０１４１】
方法４）ＤＣＩフォーマット３／３Ａの（ＣＲＣ）スクランブリングに用いられるＲＮＴＩ（例えば、ＴＰＣ−ＰＵＳＣＨ−ＲＮＴＩ、ＴＰＣ−ＰＵＣＣＨ−ＲＮＴＩ）をＳＦ（セット）別に割り当てることができる。端末は、複数のＲＮＴＩを用いてＤＣＩフォーマット３／３Ａに対してブラインドデコーディングを試み、検出されたＲＮＴＩに対応するＳＦ（セット）のＰＵＣＣＨ／ＰＵＳＣＨ送信にＴＰＣコマンドを適用することができる。
【０１４２】
方法５）一つのＤＣＩフォーマット３／３Ａ内に、複数のＳＦ（セット）のそれぞれに対応／適用される複数のＴＰＣコマンドフィールド（例えば、ＴＰＣ ｃｏｍｍａｎｄ ｎｕｍｂｅｒ）を割り当てることができる。この場合、ＤＣＩフォーマット内において複数のＴＰＣコマンドフィールドは、ＳＦ（セット）インデックスの順序に対応するように配列されてもよく、ＴＰＣフィールドが適用されるＳＦ（セット）を指示する情報を含んでもよい。端末は、検出されたＤＣＩフォーマット３／３Ａ内で自体に割り当てられた複数のＴＰＣコマンドを、それぞれ、対応する複数のＳＦ（セット）のＰＵＣＣＨ／ＰＵＳＣＨ送信に適用することができる。
【０１４３】
ＤＣＩフォーマット３／３Ａに対して複数のＲＮＴＩおよび／もしくは複数のＴＰＣコマンドが使用される／割り当てられるか否かは、上位層信号（例えば、ＲＲＣ信号）、Ｌ１／Ｌ２信号（例えば、ＰＤＣＣＨ信号）によって明示的に指示されてもよく、他の情報（もしくは、パラメータ）によって間接的に指示されてもよい。例えば、ＤＣＩフォーマット３／３Ａに対して複数のＲＮＴＩおよび／もしくは複数のＴＰＣコマンドが使用される／割り当てられるか否かを、インターサイトＣＡ動作／設定の有無、ｍｕｌｔｉ−ＰＵＣＣＨ ＯＮ／ＯＦＦを用いて間接的に指示／設定することができる。具体的には、インターサイトＣＡが動作／設定されおよび／もしくはｍｕｌｔｉ−ＰＵＣＣＨがＯＮに設定された場合、ＤＣＩフォーマット３／３Ａに対して複数のＲＮＴＩおよび／もしくは複数のＴＰＣコマンドを使用する／割り当てることができる。
【０１４４】
一方、一つの端末に互いに異なる基地局に属するセル（グループ）が集約されたＣＡの状況でより適切且つ適応的なＵＬ電力制御／管理のために、ＰＨＲ送信時に、ＰＨＲ決定に反映された各セル（グループ）のＵＬ送信関連情報を更に報告することを提案する。ここで、各セル（グループ）のＵＬ送信に関する追加情報は、当該ＰＨＲで報告されてもよく、当該ＰＨＲとは別に報告されてもよい。例えば、各セル（グループ）のＵＬ送信関連情報は、各セル（グループ）のＵＬ送信の有無、各セル（グループ）で送信されたＵＬ信号／チャネルの種類（例えば、ＰＵＣＣＨ、ＰＵＳＣＨ、ＰＲＡＣＨ、ＳＲＳ）、各セル（グループ）で送信されたＵＣＩの種類（例えば、Ａ／Ｎ、ＳＲ、ＣＳＩ）、用いられたリソース情報（例えば、ＲＢインデックス／領域）、適用された変調技法（例えば、ＱＰＳＫ、１６−ＱＡＭ、６４−ＱＡＭ）、適用された特定のパラメータ値（例えば、ＭＰＲ（Maximum Power Reduction）、Ａ−ＭＰＲ（Additional-MPR））のうち少なくとも一つを含むことができる。また、ＰＨＲタイプ（例えば、ＰＵＳＣＨ電力のみを反映したＴｙｐｅ １、ＰＵＣＣＨ／ＰＵＳＣＨ電力を全て反映したＴｙｐｅ ２）の場合、各セル（グループ）別に独立して設定されてもよい。これによって、（複数のセル（グループ）に対するＰＨＲが同時送信される場合）、各セル（グループ）のＵＬ送信に関する追加情報は、各セル（グループ）に設定されたＰＨＲタイプの種類をさらに含むことができる。ここで、ＰＨＲ報告時に追加報告される情報は、自体のセルグループを除く他のセルグループのＵＬ送信情報に制限することができる。一例として、一つの端末に２個のセルグループ１および２が集約された状況で、当該端末は、セルグループ１では、全セルグループに対するＰＨＲとセルグループ２に対する上記ＵＬ送信関連情報とを報告し、セルグループ２では、全セルグループに対するＰＨＲとセルグループ１に対する上記ＵＬ送信関連情報とを報告することができる。
【０１４５】
一方、互いに異なるカバレッジを有するセル／ＴＰ（Transmission Point）間ＴＤＭベースＵＬ送信、（これによって）時変するＵＬチャネル／干渉の状況、およびＵＬ送信信号の歪み／劣化などを考慮して、複数のＰＵＣＣＨの同時送信が許可されるか否か、および／もしくは、ＰＵＣＣＨとＰＵＳＣＨとの同時送信が許可されるか否か、をＳＦ（セット）別に設定することができる。また、ＣＳＩとＡ／Ｎとの同時送信が許可されるか否か、および／もしくは、これに関連した情報（例えば、周期的ＣＳＩ送信用ＰＵＣＣＨリソース割り当てなど）、をＳＦ（セット）別に設定することができる。また、ＳＲＳとＡ／Ｎとの同時送信が許可されるか否か、および／もしくは、これに関連した情報（例えば、ＳＲＳ送信帯域／領域割り当て、関連パラメータ設定など）、もＳＦ（セット）別に設定することができる。また、複数のアンテナを用いた（ＴｘＤベースの）ＰＵＣＣＨ送信が設定されるか否か、および／もしくは、これに関連した情報（例えば、ＰＵＣＣＨリソース割り当て、電力制御（オフセット）パラメータ設定など）、もＳＦ（セット）別に設定することができる。
【０１４６】
図１６に、本発明の実施例に適用することができる基地局および端末を例示する。リレーを含むシステムの場合、基地局もしくは端末をリレーに代替してもよい。
【０１４７】
図１６を参照すると、無線通信システムは、基地局（ＢＳ）１１０および端末（ＵＥ）１２０を含む。基地局１１０は、プロセッサ１１２、メモリ１１４および無線周波数（ＲＦ）ユニット１１６を備える。プロセッサ１１２は、本発明で提案した手順および／もしくは方法を具現するように構成することができる。メモリ１１４は、プロセッサ１１２に接続され、プロセッサ１１２の動作に関する様々な情報を記憶する。ＲＦユニット１１６は、プロセッサ１１２に接続され、て無線信号を送信および／もしくは受信する。端末１２０は、プロセッサ１２２、メモリ１２４およびＲＦユニット１２６を備える。プロセッサ１２２は、本発明で提案した手順および／もしくは方法を具現するように構成することができる。メモリ１２４は、プロセッサ１２２に接続され、プロセッサ１２２の動作に関する様々な情報を記憶する。ＲＦユニット１２６は、プロセッサ１２２に接続され、無線信号を送信および／もしくは受信する。基地局１１０および／もしくは端末１２０は、単一の（シングル）（single）アンテナもしくは複数の（多重、マルチ）（multiple）アンテナを有することができる。
【０１４８】
以上説明してきた実施例は、本発明の構成要素および特徴を所定の形態に結合したものである。各構成要素もしくは特徴は、別の明示的な言及がない限り、選択的なものとして考慮しなければならない。各構成要素もしくは特徴は、他の構成要素や特徴と組み合わせない形態で実施することもでき、一部の構成要素および／もしくは特徴を組み合わせて本発明の実施例を構成することもできる。本発明の実施例で説明される動作の順序は変更可能である。ある実施例の一部構成や特徴は、別の実施例に含めることもでき、別の実施例の対応する構成もしくは特徴に置き換えることもできる。特許請求の範囲において明示的な引用関係にない請求項を組み合わせて実施例を構成したり、出願後の補正によって新しい請求項として含めたりできることは明らかである。
【０１４９】
本文書において、本発明の実施例は主として端末と基地局との間のデータ送受信関係を中心に説明されている。本文書において基地局によって行われるとした特定の動作は、場合によっては、その上位ノード（upper node）によって行われてもよい。すなわち、基地局を含む複数のネットワークノードからなるネットワークにおいて端末との通信のために行われる様々な動作は、基地局もしくは基地局以外の別のネットワークノードによって実行できることは明らかである。基地局は、固定局（fixed station）、Ｎｏｄｅ Ｂ、ｅＮｏｄｅ Ｂ（ｅＮＢ）、アクセスポイント（access point）などの用語に代替してもよい。また、端末は、ＵＥ（User Equipment）、ＭＳ（Mobile Station）、ＭＳＳ（Mobile Subscriber Station）などの用語に代替してもよい。
【０１５０】
本発明に係る実施例は、様々な手段、例えば、ハードウェア、ファームウェア（firm ware）、ソフトウェア、もしくはそれらの組み合わせなどによって具現することができる。ハードウェアによる具現の場合、本発明の一実施例は、一つもしくは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０１５１】
ファームウェアやソフトウェアによる具現の場合、本発明の一実施例は、以上で説明された機能もしくは動作を実行するモジュール、手順、関数などの形態で具現することができる。ソフトウェアコードは、メモリユニットに保存され、プロセッサによって駆動することができる。メモリユニットはプロセッサの内部もしくは外部に設けられ、既に公知の様々な手段によってプロセッサとデータを交換することができる。
【０１５２】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１５３】
本発明は、端末、リレー、基地局などの無線通信装置に用いることができる。
【図１Ａ】
0006306224.tif 000004
【図１Ｂ】
0006306224.tif 000005
【図２】
0006306224.tif 000006
【図３】
0006306224.tif 000007
【図４】
0006306224.tif 000008
【図５】
0006306224.tif 000009
【図６】
0006306224.tif 000010
【図７】
0006306224.tif 000011
【図８】
0006306224.tif 000012
【図９】
0006306224.tif 000013
【図１０】
0006306224.tif 000014
【図１１】
0006306224.tif 000015
【図１２】
0006306224.tif 000016
【図１３】
0006306224.tif 000017
【図１４】
0006306224.tif 000018
【図１５】
0006306224.tif 000019
【図１６】
0006306224.tif 000020